(57)【要約】【課題】再変動表示を実行する再変動態様において、その変動表示の過程にも遊技者を注目させ、遊技の興趣を向上させることができる遊技機を得る。【解決手段】発光体（４０、４１、４２）が設けられる遊技枠と、遊技枠に着脱自在に取り付けられ、複数種類の識別情報を変動表示させて表示結果を導出表示させる変動表示装置（９）が設けられる遊技盤（６）とを備え、変動表示の変動態様として再変動態様が選択されたときに、変動表示が開始されてから表示結果が導出されるまでに特定表示結果とは異なる非特定表示結果となる識別情報を仮停止させた後に、仮停止させた全ての識別情報を再度変動表示させる再変動表示を１回または複数回実行し、仮停止の後に識別情報が再度変動表示される可能性があることを仮停止より前に発光体の発光により報知する。【選択図】図１３
2010259657.tif 000002
【特許請求の範囲】
【請求項１】
発光体が設けられる遊技枠と、
前記遊技枠に着脱自在に取り付けられ、複数種類の識別情報を変動表示させて表示結果を導出表示させる変動表示装置が設けられる遊技盤と、
を備え、
遊技者にとって有利な有利状態に制御するための抽選に当選したことを前記変動表示装置に特定表示結果を導出させることにより報知する遊技機であって、
前記抽選の結果に応じて、前記変動表示の表示結果が導出されるまでに前記変動表示装置において行われる識別情報の変動表示の変動態様を選択する変動態様選択手段と、
前記変動態様選択手段により選択された変動態様に従って前記変動表示装置において識別情報を変動表示させ、前記抽選の結果に応じた表示結果を前記変動表示装置に導出させる変動表示演出を含む演出の実行を制御する演出制御手段と、
を有してなり、
前記演出制御手段は、
前記変動表示の変動態様として再変動態様が選択されたときに、識別情報の変動表示が開始されてから表示結果が導出されるまでに前記特定表示結果とは異なる非特定表示結果となる識別情報を仮停止させた後に、前記仮停止させた全ての識別情報を再度変動表示させる再変動表示を１回または複数回実行する再変動表示実行手段と、
前記変動表示の変動態様として前記再変動態様が選択されたときに、前記仮停止の後に識別情報が再度変動表示される可能性があることを前記仮停止の前に前記遊技者に報知する仮停止前再変動報知手段と、
前記抽選の結果に応じて前記特定表示結果が導出される可能性があることを報知する予告演出を実行する手段であって、前記予告演出の演出態様を複数種類の演出態様のうちから選択し、前記選択した演出態様で予告演出を実行する予告演出実行手段と、を備え、
前記予告演出実行手段は、前記変動表示の変動態様として前記再変動態様が選択されたときに、前記識別情報の変動表示の開始から初回の仮停止までの期間、及び１回実行される再変動表示中の期間または複数回実行される再変動表示中の各々の期間に前記予告演出を実行し、
前記変動態様選択手段は、前記再変動表示の回数がＭ（Ｍ：自然数）回である第１再変動態様を選択するときよりも前記再変動表示の回数がＮ（Ｎ：自然数，Ｎ＞Ｍ）回である第２再変動態様を選択するときの方が前記抽選に当選していることの期待度が高くなるように、前記再変動態様を選択し、
前記予告演出実行手段は、前記第１再変動態様が選択されたときと前記第２再変動態様が選択されたときとで異なる割合で、前記予告演出の演出態様を選択し、
前記仮停止前再変動報知手段は、前記発光体を発光させることにより報知する、
ことを特徴とする遊技機。
【請求項２】
前記再変動態様には、前記仮停止されるとき以外には出現し得ないまたは出現し難い特別態様が前記仮停止されたときにおいて出現する特別再変動態様と、前記特別態様が出現しない非特別再変動態様と、が含まれていて、
前記仮停止前再変動報知手段は、前記変動表示の変動態様として前記再変動態様が選択されたときに、前記選択された再変動態様が前記特別再変動態様のときと前記非特別再変動態様のときとで、前記発光体の発光態様を異ならせる、
請求項１記載の遊技機。
【請求項３】
遊技者が操作可能な操作手段が設けられる遊技枠と、
前記遊技枠に着脱自在に取り付けられ、複数種類の識別情報を変動表示させて表示結果を導出表示させる変動表示装置が設けられる遊技盤と、
を備え、
前記遊技者にとって有利な有利状態に制御するための抽選に当選したことを前記変動表示装置に特定表示結果を導出させることにより報知する遊技機であって、
前記抽選の結果に応じて、前記変動表示の表示結果が導出されるまでに前記変動表示装置において行われる識別情報の変動表示の変動態様を選択する変動態様選択手段と、
前記変動態様選択手段により選択された変動態様に従って前記変動表示装置において識別情報を変動表示させ、前記抽選の結果に応じた表示結果を前記変動表示装置に導出させる変動表示演出を含む演出の実行を制御する演出制御手段と、
を有してなり、
前記演出制御手段は、
前記変動表示の変動態様として再変動態様が選択されたときに、識別情報の変動表示が開始されてから表示結果が導出されるまでに前記特定表示結果とは異なる非特定表示結果となる識別情報を仮停止させた後に、前記仮停止させた全ての識別情報を再度変動表示させる再変動表示を１回または複数回実行する再変動表示実行手段と、
前記変動表示の変動態様として前記再変動態様が選択されたときに、前記仮停止の後に識別情報が再度変動表示される可能性があることを前記仮停止の前に前記遊技者に報知する仮停止前再変動報知手段と、
前記抽選の結果に応じて前記特定表示結果が導出される可能性があることを報知する予告演出を実行する手段であって、前記予告演出の演出態様を複数種類の演出態様のうちから選択し、前記選択した演出態様で予告演出を実行する予告演出実行手段と、を備え、
前記予告演出実行手段は、前記変動表示の変動態様として前記再変動態様が選択されたときに、前記識別情報の変動表示の開始から初回の仮停止までの期間、及び１回実行される再変動表示中の期間または複数回実行される再変動表示中の各々の期間に前記予告演出を実行し、
前記変動態様選択手段は、前記再変動表示の回数がＭ（Ｍ：自然数）回である第１再変動態様を選択するときよりも前記再変動表示の回数がＮ（Ｎ：自然数，Ｎ＞Ｍ）回である第２再変動態様を選択するときの方が前記抽選に当選していることの期待度が高くなるように、前記再変動態様を選択し、
前記予告演出実行手段は、前記第１再変動態様が選択されたときと前記第２再変動態様が選択されたときとで異なる割合で、前記予告演出の演出態様を選択し、
前記仮停止前再変動報知手段は、前記操作手段に対する前記遊技者の操作に応じて報知する、
ことを特徴とする遊技機。
【請求項４】
前記再変動態様には、前記仮停止されるとき以外には出現し得ないまたは出現し難い特別態様が前記仮停止されたときにおいて出現する特別再変動態様と、前記特別態様が出現しない非特別再変動態様と、が含まれていて、
前記仮停止前再変動報知手段は、前記変動表示の変動態様として前記再変動態様が選択されたときに、前記選択された再変動態様が前記特別再変動態様のときと前記非特別再変動態様のときとで、前記操作手段に対する前記遊技者の操作態様を異ならせる、
請求項３記載の遊技機。
【請求項５】
遊技媒体の払い出しを行う払出手段と、
前記遊技盤側に設けられ、遊技の進行を制御する遊技制御用マイクロコンピュータを搭載する主基板と、
前記遊技盤側に設けられ、遊技の進行に応じて遊技の演出を制御する演出制御用マイクロコンピュータを搭載する演出制御基板と、
前記遊技枠側に設けられ、前記遊技制御用マイクロコンピュータからの払出制御信号に基づいて前記払出手段を制御する払出制御用マイクロコンピュータを搭載する払出制御基板と、
前記遊技枠側に設けられ、前記演出制御基板と前記遊技枠側に設けられた演出装置との間の配線を中継する中継基板と、
前記遊技枠側に設けられ、前記払出制御基板で用いられる電圧を作成する電源基板と、
前記電源基板から前記主基板および前記演出制御基板に電源電圧を供給するための電源配線を接続すると共に、前記主基板から前記払出制御基板に前記払出制御信号を供給するための第１信号配線と、
前記演出制御基板と前記中継基板とを接続するための第２信号配線と、
を備え、
前記第１信号配線及び第２信号配線は、前記遊技枠側に設けられた枠側コネクタと前記遊技盤側に設けられた盤側コネクタとの結合により各々配線が接続されるものであり、
前記枠側コネクタ及び前記盤側コネクタは、前記遊技盤を前記遊技枠に取り付けることにより各々結合する、
請求項１から４のいずれかに記載の遊技機。
【請求項６】
前記再変動態様には、前記再変動表示の回数が互いに異なる複数種類の再変動態様が含まれていて、
前記変動態様選択手段は、前記複数種類の再変動態様のうちで前記再変動表示の回数が所定回数以上である一部の再変動態様を、前記抽選に当選していることを条件として選択する、
請求項１から５のいずれかに記載の遊技機。
【請求項７】
前記再変動態様には、前記再変動表示の回数が互いに異なる複数種類の再変動態様が含まれていて、
前記演出制御手段は、
前記抽選の結果に基づいて、前記特定表示結果が導出される可能性があることを報知する予告演出である予め定められた系統に従って１段階から複数段階まで演出が段階的に変化するステップアップ演出の演出態様を、前記特定表示結果が導出されるときに前記特定表示結果が導出されないときよりも高い割合で多い段階まで演出が変化するように決定するステップアップ演出決定手段と、
前記ステップアップ演出決定手段の決定結果に基づいて、前記識別情報の変動表示の開始から初回の仮停止までの演出実行期間、及び１回実行される再変動表示中の演出実行期間または複数回実行される再変動表示中の各々の演出実行期間に、前記ステップアップ演出を実行するステップアップ演出実行手段と、をさらに備え、
前記ステップアップ演出決定手段は、前記演出実行期間がＬ回（Ｌ：自然数）よりも多い再変動態様が選択されたときにのみ、Ｌ回目の演出実行期間において実行されるステップアップ演出として所定数段階未満のステップアップ演出の演出態様を決定する、
請求項１から６のいずれかに記載の遊技機。
【請求項８】
前記再変動態様には、前記再変動表示の回数が互いに異なる複数種類の再変動態様が含まれるとともに、前記識別情報を最後に仮停止させた後に表示結果が導出されるまでの表示態様としてリーチ表示態様が出現する複数種類のリーチ変動態様が含まれていて、
前記変動態様選択手段は、前記複数種類のリーチ変動態様を、前記再変動表示の回数に応じて異なる割合で選択する、
請求項１から７のいずれかに記載の遊技機。
【発明の詳細な説明】
【技術分野】
【０００１】
本発明は、パチンコ遊技機等の遊技機に関し、特に遊技者にとって有利な有利状態に制御するための抽選に当選したことを変動表示装置に特定表示結果を導出させることにより報知する遊技機に関する。
【背景技術】
【０００２】
パチンコ遊技機は、遊技領域に打ち出された遊技球が始動入賞口に入賞したことを契機として大当たり抽選を行っており、該抽選の結果に当選することで大入賞口が一定期間断続的に開放される大当たり遊技状態に制御され（１回当たりの開放が１ラウンド）、遊技者にとっての有利な状態となる。大当たり抽選に当選したことは、特図ゲームと呼ばれる液晶表示器などの変動表示装置で図柄を変動表示させ、そこに所定の出目の図柄（一般的には、同一種類の図柄）を導出させることによって報知される。
【０００３】
ところで、パチンコ遊技機では、始動入賞口への入賞が保留記憶されていれば、１回の特図ゲームが終了すると即座に新たな特図ゲームが開始されるものとなっており、この場合は、特図ゲームにおける図柄の変動が連続して行われているような態様となる。もっとも、１回の始動入賞口への入賞に基づく特図ゲームで、全ての図柄の変動を仮停止させた後、全ての図柄を再度変動表示させるという再変動表示を１回または複数回行う擬似連と呼ばれるパターンで図柄を変動表示させるものがある。
【０００４】
このような擬似連と呼ばれるパターンで図柄を変動表示させるものとして、３つの図柄が変動表示されるものを例とすると、左右図柄が仮停止してから、右図柄のみ再変動させる（すべらせる）すべり演出を行い、その後に３つの図柄が仮停止される際の表示態様として、ハズレ図柄のうちで予め定められたチャンス目という図柄で仮停止させるものがある（例えば、特許文献１参照）。また、大当たり抽選に当選する確率に応じて、擬似連における再変動表示の回数を決定することで、擬似連と呼ばれるパターンで再変動表示が実行される回数に応じて、大当たりとなる信頼度が高くなるようにした遊技機もある（例えば、特許文献２参照）。
【先行技術文献】
【特許文献】
【０００５】
【特許文献１】特開２００８−１８８０５６号公報（図１０５、段落０４６２等）
【特許文献２】特開２００７−２１０９４号公報（図８、段落００８８〜００９１等）
【発明の概要】
【発明が解決しようとする課題】
【０００６】
特許文献１のように仮停止される際の表示態様をチャンス目とし、これによって再変動表示が行われることを遊技者に報知する擬似連のパターンでは、全ての図柄が仮停止される際にチャンス目が導出されるかどうかに遊技者が注目し、単に再変動表示を行った場合に比べて遊技の興趣を向上させることができる。しかし、全ての図柄が仮停止される際の表示態様に遊技者を注目させるのみで、それ以外の変動表示の過程に対しては遊技者の注目が薄れてしまう。
【０００７】
また、特許文献２の場合には、再変動表示の回数が多くなるほど遊技者の期待感を高めさせることができるが、再変動表示の回数が多くなるということは、全ての図柄が仮停止した後に再変動表示が行われるということである。このため、全ての図柄が仮停止された後に再変動表示が行われるかどうかに遊技者を注目させるのみで、それ以外の変動表示の過程に対しては遊技者の注目が薄れてしまう。このため、特許文献１、２の何れにおいても、一連の変動表示の過程全体で遊技の興趣を高めさせるには不十分であった。
【０００８】
本発明は、識別情報の変動表示が開始されてから表示結果が導出されるまでに非特定表示結果となる識別情報を仮停止させた後に全ての識別情報を再度変動表示させる再変動表示を実行する再変動態様において、その変動表示の過程にも遊技者を注目させ、遊技の興趣を向上させることができる遊技機を提供することを目的とする。
【課題を解決するための手段】
【０００９】
本発明にかかる遊技機は、発光体（例えば、天枠ランプ４０、左枠ランプ４１、右枠ランプ４２）が設けられる遊技枠と、遊技枠に着脱自在に取り付けられ、複数種類の識別情報（例えば、飾り図柄）を変動表示させて表示結果を導出表示させる変動表示装置（例えば、可変表示装置９）が設けられる遊技盤と、を備え、遊技者にとって有利な有利状態（例えば、大当り遊技状態）に制御するための抽選（例えば、大当り抽選）に当選したことを変動表示装置に特定表示結果（例えば、大当り図柄）を導出させることにより報知する遊技機であって、抽選の結果に応じて、変動表示の表示結果が導出されるまでに変動表示装置において行われる識別情報の変動表示の変動態様（例えば、変動パターン）を選択する変動態様選択手段（例えば、主基板３１のＣＰＵ５６）と、変動態様選択手段により選択された変動態様に従って変動表示装置において識別情報を変動表示させ、抽選の結果に応じた表示結果を変動表示装置に導出させる変動表示演出を含む演出の実行を制御する演出制御手段（例えば、演出制御基板８０のＣＰＵ８３）と、を有してなり、演出制御手段は、変動表示の変動態様として再変動態様（例えば、擬似連１回／２回／３回／４回）が選択されたときに、識別情報の変動表示が開始されてから表示結果が導出されるまでに特定表示結果とは異なる非特定表示結果となる識別情報を仮停止させた後に、仮停止させた全ての識別情報を再度変動表示させる再変動表示を１回または複数回実行する再変動表示実行手段（例えば、演出制御基板８０のＣＰＵ８３）と、  変動表示の変動態様として再変動態様が選択されたときに、仮停止の後に識別情報が再度変動表示される可能性があることを仮停止の前に遊技者に報知（例えば、先擬似予告）する仮停止前再変動報知手段（例えば、演出制御基板８０のＣＰＵ８３）と、抽選の結果に応じて特定表示結果が導出される可能性があることを報知する予告演出（例えば、ステップアップ演出を含む予告演出）を実行する手段であって、予告演出の演出態様を複数種類の演出態様のうちから選択し、選択した演出態様で予告演出を実行する予告演出実行手段（例えば、演出制御基板８０のＣＰＵ８３）と、を備え、予告演出実行手段は、変動表示の変動態様として再変動態様が選択されたときに、識別情報の変動表示の開始から初回の仮停止までの期間、及び１回実行される再変動表示中の期間または複数回実行される再変動表示中の各々の期間に予告演出を実行し、変動態様選択手段は、再変動表示の回数がＭ（Ｍ：自然数）回である第１再変動態様（例えば、擬似連１回／２回／３回の変動パターン）を選択するときよりも再変動表示の回数がＮ（Ｎ：自然数，Ｎ＞Ｍ）回である第２再変動態様（例えば、擬似連２回／３回／４回の変動パターン（それぞれ第１再変動態様の擬似連１回／２回／３回の変動パターンに対応するもの））を選択するときの方が抽選に当選していることの期待度が高くなるように、再変動態様を選択し、予告演出実行手段は、第１再変動態様が選択されたときと第２再変動態様が選択されたときとで異なる割合で、予告演出の演出態様を選択し（例えば、図６）、仮停止前再変動報知手段は、発光体を発光させることにより報知する（例えば、���１３）、ことを特徴とする。
【００１０】
また、再変動態様が選択されたときにおいて識別情報が仮停止される前に、仮停止前再変動報知手段により仮停止の後に識別情報が再度変動表示される可能性があることが遊技者に報知されるが、これによって、遊技者は、仮停止を含めて全ての識別情報の変動表示が停止される前に、変動表示装置において実行されている識別情報の変動表示が再変動態様で行われるものであることを期待できるようになる。なお、仮停止前再変動報知手段による報知は、遊技枠に設けられている発光体を発光させて行うため、遊技盤に設けられている発光体や可変表示装置を構成する液晶のみで行うよりも、報知されていることを遊技者に容易に認識させることができる。
【００１１】
ここで、再変動態様には、第１再変動態様と、再変動表示の回数が第１再変動態様（Ｍ回）よりも多い第２再変動態様（Ｎ回）と、が含まれているが、第２再変動態様で変動表示が行われたときの方が、抽選に当選していることの期待度が高くなるが、第１再変動態様が選択されたか第２再変動態様が選択されたかに応じて異なる割合で、仮停止の後に識別情報が再度変動表示される可能性があることが報知される際に実行される予告演出の演出態様が選択される。このため、仮停止の後に識別情報が再度変動表示される可能性があることが報知される際に実行される予告演出の演出態様の違いによって、Ｍ回を越える再変動表示が行われること（＝抽選に当選していることの可能性が高くなること）を期待できるようになる。
【００１２】
また、識別情報が仮停止されるよりも前に仮停止の後に識別情報が再度変動表示される可能性があることが報知されるかどうかということに遊技者の関心が向けられることとなり、一連の変動表示の過程全体での遊技者の注目度が高まり、遊技の興趣を向上させることができる。
【００１３】
なお、前記第２再変動態様が前記第１再変動態様よりも前記抽選に当選していることに期待度が高いというのは、第２再変動態様が選択される場合のうちで前記抽選に当選している場合の割合が、前記第１再変動態様が選択される場合のうちで前記抽選に当選している場合の割合よりも高いことをいう。
【００１４】
また、前記仮停止の後に識別情報が再度変動表示される可能性があることの報知は、前記再変動表示が複数回実行される再変動態様が選択されたときにおいて、各回の仮停止がされるよりも前に、当該回の仮停止の後に識別情報が再変動表示される可能性があることを予告するものとすることができる。例えば、２回の再変動表示が実行される再変動態様では、１回目の仮停止の後（２回目の仮停止よりも前）に識別情報が再変動表示される可能性があることを１回目の仮停止よりも前に報知し、２回目の仮停止の後に識別情報が再変動表示される可能性があることを２回目の仮停止よりも前に報知することができる。
【００１５】
また、前記仮停止の後に識別情報が再度変動表示される可能性があることは、再変動態様が選択されたときにおいて識別情報が仮停止されるよりも前に必ず報知しなければならないというものではなく、一定の割合で報知するものとしてもよい。さらに、前記仮停止の後に識別情報が再度変動表示される可能性があることは、再変動態様以外の変動態様が選択されたときにおいても、変動表示が行われている間に所定の割合（但し、再変動態様が選択されたときよりも低い割合）で報知するものとしてもよい。
【００１６】
また、前記予告演出実行手段は、前記識別情報の変動表示の開始から初回の仮停止までの期間、及び１回実行される再変動表示中の期間または複数回実行される再変動表示中の各々の期間のうちの各々の期間について、それぞれの期間毎の演出態様を選択するものとすることができる。ここで、例えば、２回の再変動表示が実行される再変動態様では、予告演出の実行期間が３回あるが、各回の期間毎に演出態様を選択するものとしても、３回の期間の各々における演出態様の組み合わせを定めるパターンを最初に選択するものとしてもよい。
【００１７】
また、本発明にかかる遊技機は、再変動態様には、仮停止されるとき以外には出現し得ないまたは出現し難い特別態様（例えば、チャンス目）が仮停止されたときにおいて出現する特別再変動態様（例えば、後擬似予告と先擬似予告の両方を実行）と、特別態様が出現しない非特別再変動態様（例えば、先擬似予告のみを実行）と、が含まれていて、仮停止前再変動報知手段（例えば、演出制御基板８０のＣＰＵ８３）は、変動表示の変動態様として再変動態様が選択されたときに、選択された再変動態様が特別再変動態様のときと非特別再変動態様のときとで、発光体（例えば、天枠ランプ４０、左枠ランプ４１、右枠ランプ４２）の発光態様を異ならせる（例えば、点灯と点滅、点灯色、点滅の時間間隔）、ことを特徴とする。
【００１８】
この構成により、仮停止したときに特別態様が出現する特別再変動態様のときと、出現しない非特別再変動態様のときとで、仮停止する前に実行される先擬似予告の演出内容である発光体の発光態様を異ならせるため、仮停止する前の発光体の発光態様に遊技者を注目させて、一連の変動表示の過程全体での遊技者の注目度を高めることができ、遊技の興趣を向上させることができる。また、発光体の発光態様の違いに応じて、再変動表示が実行されることへの期待感を遊技者に与えることができる。
【００１９】
また、本発明にかかる遊技機は、遊技者が操作可能な操作手段（例えば、チャンスボタン１６）が設けられる遊技枠と、遊技枠に着脱自在に取り付けられ、複数種類の識別情報（例えば、飾り図柄）を変動表示させて表示結果を導出表示させる変動表示装置（例えば、可変表示装置９）が設けられる遊技盤と、を備え、遊技者にとって有利な有利状態（例えば、大当り遊技状態）に制御するための抽選（例えば、大当り抽選）に当選したことを変動表示装置に特定表示結果（例えば、大当り図柄）を導出させることにより報知する遊技機であって、抽選の結果に応じて、変動表示の表示結果が導出されるまでに変動表示装置において行われる識別情報の変動表示の変動態様（例えば、変動パターン）を選択する変動態様選択手段（例えば、主基板３１のＣＰＵ５６）と、変動態様選択手段により選択された変動態様に従って変動表示装置において識別情報を変動表示させ、抽選の結果に応じた表示結果を変動表示装置に導出させる変動表示演出を含む演出の実行を制御する演出制御手段（例えば、演出制御基板のＣＰＵ８３）と、を有してなり、演出制御手段は、変動表示の変動態様として再変動態様（例えば、擬似連１回／２回／３回／４回）が選択されたときに、識別情報の変動表示が開始されてから表示結果が導出されるまでに特定表示結果とは異なる非特定表示結果となる識別情報を仮停止させた後に、仮停止させた全ての識別情報を再度変動表示させる再変動表示を１回または複数回実行する再変動表示実行手段（例えば、演出制御基板８０のＣＰＵ８３）と、変動表示の変動態様として再変動態様が選択されたときに、仮停止の後に識別情報が再度変動表示される可能性があることを仮停止の前に遊技者に報知（例えば、先擬似予告）する仮停止前再変動報知手段（例えば、演出制御基板８０のＣＰＵ８３）と、抽選の結果に応じて特定表示結果が導出される可能性があることを報知する予告演出（例えば、ステップアップ演出を含む予告演出）を実行する手段であって、予告演出の演出態様を複数種類の演出態様のうちから選択し、選択した演出態様で予告演出を実行する予告演出実行手段（例えば、演出制御基板８０のＣＰＵ８３）と、を備え、予告演出実行手段は、変動表示の変動態様として再変動態様が選択されたときに、識別情報の変動表示の開始から初回の仮停止までの期間、及び１回実行される再変動表示中の期間または複数回実行される再変動表示中の各々の期間に予告演出を実行し、変動態様選択手段は再変動表示の回数がＭ（Ｍ：自然数）回である第１再変動態様（例えば、擬似連１回／２回／３回の変動パターン）を選択するときよりも再変動表示の回数がＮ（Ｎ：自然数，Ｎ＞Ｍ）回である第２再変動態様（例えば、擬似連２回／３回／４回の変動パターン（それぞれ第１再変動態様の擬似連１回／２回／３回の変動パターンに対応するもの））を選択するときの方が抽選に当選していることの期待度が高くなるように、再変動態様を選択し、予告演出実行手段は、第１再変動態様が選択されたときと第２再変動態様が選択されたときとで異なる割合で、予告演出の演出態様を選択し（例えば、図６）、仮停止前再変動報知手段は、操作手段に対する遊技者の操作（例えば、１回の押下、連打）に応じて報知する、ことを特徴とする。
【００２０】
この構成により、操作手段に対する遊技者の操作に応じて先擬似予告が報知されるため、遊技者自身の操作で再変動態様を発生させたかのような印象を遊技者に与えることができる。そのため、遊技者の遊技への参加意欲を高めることができ、遊技の興趣を向上させることができる。
【００２１】
また、本発明にかかる遊技機は、再変動態様には、仮停止されるとき以外には出現し得ないまたは出現し難い特別態様（例えば、チャンス目）が仮停止されたときにおいて出現する特別再変動態様（例えば、後擬似予告と先擬似予告の両方を実行）と、特別態様が出現しない非特別再変動態様（例えば、先擬似予告のみを実行）と、が含まれていて、仮停止前再変動報知手段（例えば、演出制御基板８０のＣＰＵ８３）は、変動表示の変動態様として再変動態様が選択されたときに、選択された再変動態様が特別再変動態様のときと非特別再変動態様のときとで、操作手段（例えば、チャンスボタン１６）に対する遊技者の操作態様を異ならせる（例えば、１回の押下、連打）、ことを特徴とする。
【００２２】
この構成により、仮停止したときに特別態様が出現する特別再変動態様のときと、出現しない非特別再変動態様のときとで、仮停止する前に実行される先擬似予告の演出内容である操作手段に対する操作態様を異ならせるため、仮停止する前の操作手段に対する操作態様に遊技者を注目させて、一連の変動表示の過程全体での遊技者の注目度を高めることができ、遊技の興趣を向上させることができる。また、操作手段に対する操作態様の違いに応じて、再変動表示が実行されることへの期待感を遊技者に与えることができる。
【００２３】
また、本発明にかかる遊技機は、遊技媒体の払い出しを行う払出手段（例えば、球払出装置４４）と、遊技盤（例えば、遊技盤６）側に設けられ、遊技の進行を制御する遊技制御用マイクロコンピュータ（例えば、ＣＰＵ５６）を搭載する主基板（例えば、主基板３１）と、遊技盤側に設けられ、遊技の進行に応じて遊技の演出を制御する演出制御用マイクロコンピュータ（例えば、ＣＰＵ８３）を搭載する演出制御基板（例えば、演出制御基板８０）と、遊技枠側に設けられ、遊技制御用マイクロコンピュータからの払出制御信号に基づいて払出手段を制御する払出制御用マイクロコンピュータを搭載する払出制御基板（例えば、払出制御基板３６）と、遊技枠側に設けられ、演出制御基板と遊技枠側に設けられた演出装置（例えば、天枠ランプ４０、左枠ランプ４１、右枠ランプ４２、チャンスボタン１６）との間の配線を中継する中継基板と、遊技枠側に設けられ、払出制御基板で用いられる電圧を作成する電源基板と、電源基板から主基板および演出制御基板に電源電圧を供給するための電源配線を接続すると共に、主基板から払出制御基板に払出制御信号を供給するための第１信号配線と、演出制御基板と中継基板とを接続するための第２信号配線と、を備え、第１信号配線及び第２信号配線は、遊技枠側に設けられた枠側コネクタと遊技盤側に設けられた盤側コネクタとの結合により各々配線が接続されるものであり、枠側コネクタ及び盤側コネクタは、遊技盤を遊技枠に取り付けることにより各々結合する、ことを特徴とする。
【００２４】
この構成により、主基板から払出制御基板に払出制御信号を供給するための信号配線は電源基板を経由させることができ、各基板からの配線に対してそれぞれコネクタを設ける場合に比べて、コネクタ数を削減することができる。
【００２５】
また、本発明にかかる遊技機は、再変動態様には、再変動表示の回数が互いに異なる複数種類の再変動態様（例えば、擬似連１回／２回／３回／４回）が含まれていて、変動態様選択手段は、複数種類の再変動態様のうちで再変動表示の回数が所定回数以上である一部の再変動態様（例えば、擬似連４回）を、抽選に当選していることを条件として選択する（例えば、擬似連４回は、確変大当り、確変昇格大当り、または、時短大当りでのみ選択する）、ことを特徴とする。
【００２６】
この構成により、再変動表示の回数が所定回数以上となれば抽選に当選していることが確定となるので、再変動表示の回数そのものにも遊技者を注目させることができる。また、再変動表示の回数が積み上がって所定回数に近づけば近づくほど、抽選に当選していることへの遊技者の期待感を高めることができる。これにより、一連の変動表示の過程全体での遊技者の注目度が殊更に高まり、さらに遊技の興趣を向上させることができる。
【００２７】
また、本発明にかかる遊技機は、再変動態様には、再変動表示の回数が互いに異なる複数種類の再変動態様（例えば、擬似連１回／２回／３回／４回）が含まれていて、演出制御手段は、抽選の結果に基づいて、特定表示結果が導出される可能性があることを報知する予告演出である予め定められた系統に従って１段階から複数段階まで演出が段階的に変化するステップアップ演出の演出態様を、特定表示結果が導出されるときに特定表示結果が導出されないときよりも高い割合で多い段階まで演出が変化するように決定するステップアップ演出決定手段（例えば、演出制御基板８０のＣＰＵ８３）と、ステップアップ演出決定手段の決定結果に基づいて、識別情報の変動表示の開始から初回の仮停止までの演出実行期間、及び１回実行される再変動表示中の演出実行期間または複数回実行される再変動表示中の各々の演出実行期間に、ステップアップ演出を実行するステップアップ演出実行手段（例えば、演出制御基板８０のＣＰＵ８３）と、をさらに備え、ステップアップ演出決定手段は、演出実行回数がＬ回（Ｌ：自然数）よりも多い再変動態様が選択されたときにのみ、Ｌ回目の演出実行期間において実行されるステップアップ演出として所定数段階未満のステップアップ演出の演出態様を決定する（ステップアップ１は、擬似連１の１回目、擬似連２の１〜２回目、擬似連３の１〜３回目、擬似連４の１〜４回目でのみ選択）、ことを特徴とする。
【００２８】
ステップアップ演出は、多い段階まで演出が変化することで識別情報の変動表示の表示結果として特定表示結果が導出される可能性が高くなることを示す演出である。したがって、本来は、ステップアップ演出の段階が進めば進むほど、遊技者の期待感は高められるものとなる。一方、Ｌ回目の演出実行期間において実行されるステップアップ演出は、所定数段階未満で終了することがあるが、この場合は、未だ表示結果が導出されずに、さらに再変動表示が継続されることが確定する。これにより、ステップアップ演出の演出回数が少ないときでも、再変動表示が継続することに対する期待感を遊技者に与えることができ、遊技の興趣の一層の向上を図ることができる。
【００２９】
また、本発明にかかる遊技機は、再変動態様には、再変動表示の回数が互いに異なる複数種類の再変動態様（例えば、擬似連１回／２回／３回／４回）が含まれるとともに、識別情報を最後に仮停止させた後に表示結果が導出されるまでの表示態様としてリーチ表示態様が出現する複数種類のリーチ変動態様（例えば、ノーマル、スーパーＡ、スーパーＢ）が含まれていて、変動態様選択手段は、複数種類のリーチ変動態様を、再変動表示の回数に応じて異なる割合で選択する、ことを特徴とする。
【００３０】
この構成により、再変動表示の回数の振り分けとリーチ変動態様の種類の振り分けとによって、変動表示装置において実行される識別情報の変動表示による演出が多様なものとなり、遊技の興趣を向上させることができる。
【図面の簡単な説明】
【００３１】
【図１】本発明の実施の形態にかかるパチンコ遊技機の正面図である。
【図２】図１のパチンコ遊技機の制御回路の構成を示すブロック図である。
【図３】（ａ）は、大当たり判定用テーブルを示す図であり、（ｂ）、（ｃ）は、大当たり種別判定用テーブルを示す図である。
【図４】特別図柄変動パターン決定テーブルを示す図である。
【図５】実行すべき擬似連予告を決定するための各種テーブルを示す図である。
【図６】予告演出決定テーブルを示す図である。
【図７】主基板の制御部により実行される２ｍｓタイマ割り込み処理を示すフローチャートである。
【図８】表示制御基板の表示制御ＣＰＵにより実行されるメイン処理を示すフローチャートである。
【図９】先擬似予告の実行例を示すタイミングチャートである。
【図１０】遊技枠への遊技盤の取り付け方法の例を示す説明図である。
【図１１】フローティングコネクタの例を示す斜視図である。
【図１２】フローティングコネクタと基板との接続例を示す説明図である。
【図１３】擬似連予告の演出例を示す説明図である。
【図１４】擬似連予告の別の演出例を示す説明図である。
【発明を実施するための形態】
【００３２】
以下、図面を参照しながら本発明にかかる遊技機の実施の形態について説明する。
【００３３】
図１は、この実施の形態に適用されるパチンコ遊技機１を正面からみた正面図である。パチンコ遊技機１は、縦長の方形状に形成された外枠１２０と、外枠１２０の内側に開閉可能に取り付けられた前面枠１１０と、前面枠１１０に開閉可能に設けられている額縁状に形成されたガラス扉枠２と、前面枠１１０の裏面に設けられ払出に関わる機構部品等が取り付けられる機構板（図示せず）と、前面枠１１０に対して着脱可能に設けられ遊技領域７が形成された遊技盤６とから構成されている。後述する打球供給皿（上皿）３、余剰球受皿４、打球操作ハンドル（操作ノブ）５は前面枠１１０の表側に設けられる。遊技枠とはパチンコ遊技機１のうち遊技盤６を除いた部品の総称であり、機種交換時には遊技盤６は交換されるが、遊技枠は再度使用されることになる。つまり、パチンコ遊技機１の部品は、機種交換しても再度使用される遊技枠側の部品と、遊技盤６とともに機種交換時に交換される遊技盤側の部品とのいずれかに区分けされる。
【００３４】
図１に示すように、パチンコ遊技機１は、額縁状に形成されたガラス扉枠２を有する。ガラス扉枠２の下部表面には打球供給皿（上皿）３がある。打球供給皿３の前面には、チャンスボタン１６が設けられている。チャンスボタン１６は、可変表示装置９などの演出手段において所定の種類の演出が実行されているときに、遊技者がこれを操作し、その操作が所定の操作条件を満たしたか否かにより、演出の結果を変化させることができるボタンである。
【００３５】
打球供給皿３の下部には、打球供給皿３に収容しきれない遊技球を貯留する余剰球受皿４、回転操作することにより遊技領域７に打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には打ち込まれた遊技球が流下可能な遊技領域７が形成されている。
【００３６】
遊技領域７の中央付近には、液晶表示装置（ＬＣＤ）により構成される可変表示装置９とを備えている。可変表示装置９の周囲を取り巻く円形状の枠の中に、演出手段としての装飾ランプ２５ａ〜２５ｃと、ソレノイド５１（図２参照）により可動される役物２６とが設けられている。遊技領域７の可変表示装置９よりも下側には、２つの始動入賞口１４ａ、１４ｂが上下に並べて配置されている。下側にある始動入賞口１４ｂには、開放状態となることで遊技球の入賞を容易にする可変入賞装置１５が設けられている。
【００３７】
始動入賞口１４ａ、１４ｂの下方には、大入賞口２１が開状態とされる特別可変入賞装置２０が設けられている。特別可変入賞装置２０が設けられている位置は、遊技者が可変表示装置９を見て遊技を進めている場合には、大入賞口２１が開状態となっているのかどうかが遊技者にほとんど分からないような位置となっている。特別可変入賞装置２０の両側には、７セグメントＬＥＤにより構成される特別図柄表示器１０ａ、１０ｂとが設けられている。特別図柄表示器１０ａ、１０ｂでは、７セグメントＬＥＤによって表示される特別図柄の可変表示を行なっている。
【００３８】
特別図柄表示器１０ａは、始動入賞口１４ａへの遊技球の入賞に基づいて特別図柄の可変表示を行い、特別図柄表示器１０ｂは、始動入賞口１４ｂへの遊技球の入賞に基づいて特別図柄の可変表示を行う。特別図柄表示器１０ａ、１０ｂの両方で同時に特別図柄の可変表示が行われることはなく、特別図柄表示器１０ａまたは１０ｂで特別図柄の可変表示が終了した後に、特別図柄表示器１０ａ、１０ｂの両方で可変表示を開始させるための条件が成立しているときには、特別図柄表示器１０ａで優先的に特別図柄の可変表示が行われることとなる。
【００３９】
特別図柄表示器１０ａ、１０ｂに表示される表示結果のうち特定表示結果（大当たり図柄）には、第１特定表示結果（確率変動大当たり図柄）と、第２特定表示結果（確変昇格大当たり図柄）と、第３特定表示結果（突然確変大当たり図柄）と、第４特定表示結果（時短大当たり図柄）とが含まれる。第１特定表示結果、第２特定表示結果、第３特定表示結果、第４特定表示結果以外の表示結果は、ハズレ図柄となる。
【００４０】
特別図柄表示器１０ａ、１０ｂの表示結果の態様は、７つのセグメントの点灯／非点灯の組み合わせにより、２＾７−１＝１２７通りある（＾は、べき乗を表し、７セグメントの全てを非点灯する態様が特別図柄表示器１０ａ、１０ｂの表示結果として除かれるため、１だけマイナスされている）。第１特定表示結果、第２特定表示結果、第３特定表示結果、第４特定表示結果には、「０」〜「９」の数字などの遊技者にとって比較的分かり易い図柄を含んでいてよいが、意味のある文字とは認識できない７つのセグメントの点灯／非点灯の組み合わせも採用しており、特別図柄表示器１０ａ、１０ｂの表示結果だけからは大当たりの種類を特定することが非常に困難なものとなっている。
【００４１】
特別図柄表示器１０ａ、１０ｂに第１特定表示結果（確率変動大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、通常遊技状態（或いは、確率変動状態とならない時短状態）よりも大当たり確率が高くなる確率変動状態に遊技状態が制御される。
【００４２】
特別図柄表示器１０ａ、１０ｂに第２特定表示結果（確変昇格大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００４３】
特別図柄表示器１０ａ、１０ｂに第３特定表示結果（突然確変大当たり図柄）を表示した後には、後述する第２大当たり遊技状態に遊技状態を制御する。第２大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００４４】
特別図柄表示器１０ａ、１０ｂに第４特定表示結果（時短大当たり図柄）を表示した後には、後述する第１大当たり遊技状態に遊技状態を制御する。第１大当たり遊技状態の終了後に、特別図柄表示器１０ａ、１０ｂにおいて１００回の変動表示が行われるまでの間は時短状態に遊技状態が制御されるものの、次の大当たり発生までの大当たり確率を通常とする（確率変動状態の大当たり確率よりも低くなる）通常遊技状態に制御される。通常遊技状態において何れかの種類の大当たりが発生することを、初当たりという。
【００４５】
また、可変表示装置９では、飾り図柄表示領域９ａ〜９ｃにて飾り図柄（例えば、「０」〜「９」の１０種類）の可変表示を行っている。可変表示装置９は、特別図柄表示器１０ａ、１０ｂで行われる可変表示の内容を、飾り図柄の可変表示によって演出効果を高めて遊技者に表示するための可変表示装置である。特別図柄表示器１０ａ、１０ｂで特別図柄の可変表示が継続されている限り、飾り図柄の可変表示が一旦停止（仮停止）していても、大当たり抽選及び大当たり種別抽選に対する確定的な表示結果が示されたことにはならない。
【００４６】
また、可変表示装置９においては、飾り図柄が可変表示されるのに合わせてキャラクタの表示などによる演出（後述するステップアップ演出などの各種演出）が行われる。さらに、可変表示装置９は、特別図柄の可変表示に合わせて飾り図柄の可変表示を行うため以外に、大当たりラウンド演出を行うためにも用いられる。
【００４７】
なお、第１特定表示結果（確率変動大当たり図柄）の表示によっても、第２特定表示結果（確変昇格大当たり図柄）の表示によっても、第１大当たり状態から確率変動状態への制御（＋時短）という遊技状態の制御には全く変わりがない。もっとも、特別図柄表示器１０ａ、１０ｂに第１特定表示結果（確率変動大当たり図柄）が表示されたときには、この時点で可変表示装置９に表示される飾り図柄を「１」または「７」で揃えるなどして確率変動状態に制御される旨が報知される。
【００４８】
これに対して、第２特定表示結果（確変昇格大当たり図柄）が表示されたときには、この時点では可変表示装置９に表示される飾り図柄を第４特定表示結果（時短大当たり図柄）が表示されたときと同様に「１」または「７」以外の図柄で揃えるなどして確率変動状態に制御される旨が報知されない。確率変動状態に制御される旨は、第２特定表示結果が表示された後に制御される第１大当たり遊技状態において実行される大当たりラウンド演出にて報知される。
【００４９】
第３特定表示結果（突然確変大当たり図柄）が表示されたときには、可変表示装置９に表示される飾り図柄を特別図柄表示器１０ａ、１０ｂにハズレ図柄が表示されたときと同様の３つの飾り図柄が揃っていない態様にするものとなっている。なお、突然確率大当たりによって制御される第２大当たり遊技状態は、後述するように大入賞口２１の開放が極短期間で終了し、大当たりラウンド演出も実行されずに次の変動表示の開始までハズレ図柄を表示したままとしておくので、突然確変大当たりしたことに遊技者が気づかないまま通常遊技状態（時短状態である場合を含む）から確率変動状態に制御されたような印象を遊技者に与えることができるものとなっている。
【００５０】
なお、第１〜第４特定表示結果の何れでもない３つの飾り図柄が揃っていない態様は、ハズレ図柄である。ハズレ図柄のうちの特定の組み合わせ（例えば、「１−３−５」、「１−５−３」の組み合わせ）は、後述する擬似連の変動パターンで飾り図柄が仮停止される際にのみ表示され得るチャンス目となっている（もっとも、擬似連の変動パターンで飾り図柄が仮停止される際に表示されるのは、チャンス目以外のハズレ図柄となることもある）ので、表示結果としてのハズレ図柄の組み合わせは、チャンス目以外の態様のものである。
【００５１】
また、特別図柄表示器１０ａまたは１０ｂにて特別図柄の可変表示が行われ、可変表示装置９にて飾り図柄の可変表示が行われているときに、装飾ランプ２５ａ〜２５ｃの点灯や役物２６の駆動などによる演出が実行されることがある。装飾ランプ２５ａ〜２５ｃ、役物２６による演出は、特に後述する擬似連の変動パターンで飾り図柄が可変表示される場合において、３つの飾り図柄が仮停止する前に、仮停止後に再度全ての飾り図柄が再変動することを予告するために用いられる。なお、予告とは、それによって示される内容が生じる可能性があることの報知であり、それによって示される内容が生じることを確定的に示す報知である告知と区別される。
【００５２】
可変表示装置９の下方には、始動入賞口１４ａ、１４ｂに遊技球が入り始動条件が成立したが未だ特別図柄表示器１０ａ、１０ｂの開始条件（例えば、前回の特別図柄の可変表示の終了、大当たり遊技状態の終了）が成立していない始動条件の成立回数として後述する主基板３１のＲＡＭ５５（図２参照）に記憶された保留記憶数をそれぞれ表示する保留記憶数表示手段として特別図柄保留記憶表示器１１ａ、１１ｂが設けられている。
【００５３】
特別図柄保留記憶表示器１１ａは、４つのＬＥＤから構成され、始動入賞口１４ａへの有効始動入賞（本実施形態では、保留記憶数が４未満のときの始動入賞）がある毎に、ＬＥＤを１つ点灯し、特別図柄表示器１０ａにて特別図柄の可変表示が開始される毎に、点灯しているＬＥＤを１つ減らす。すなわち、ＬＥＤを１つ消灯する。特別図柄保留記憶表示器１１ｂについても、同様に、始動入賞口１４ｂへの有効始動入賞がある毎に、ＬＥＤを１つ点灯し、特別図柄表示器１０ｂにて特別図柄の可変表示が開始される毎に、点灯しているＬＥＤを１つ減らす。
【００５４】
ＲＡＭ５５（図２参照）には、特別図柄表示器１０ａにおける特別図柄の始動条件が成立（打球が始動入賞口１４ａへ入賞）したときに主基板３１のＣＰＵ５６（図２参照）により抽出された大当たり判定用乱数等の各種乱数の抽出順番を特定可能に記憶する４つの保留記憶バッファが設けられている。特別図柄保留記憶表示器１１ａは、保留記憶バッファのうちで各種乱数の記憶された保留記憶バッファの数（保留記憶数）を特定可能に表示する。保留記憶バッファには、抽出された各種乱数のうち未だ開始条件（例えば、前回の特別図柄の可変表示の終了、大当たり遊技状態の終了）が成立していない数値データが予め定められた上限数として４個まで記憶される。特別図柄保留記憶表示器１１ｂについても、同様の保留記憶バッファが設けられている。
【００５５】
上記した始動入賞口１４ａ、１４ｂに入った入賞球は、それぞれ遊技盤６の背面に導かれ、始動ロスイッチ６２ａ、６２ｂ（図２参照）によって検出される。可変入賞装置１５は、ソレノイド７１（図２参照）によって開状態とされる。後述する普通図柄の可変表示の結果に応じてソレノイド７１により可変入賞装置１５が開状態となることにより、遊技球が始動入賞口１４ａに入賞し易くなり（始動入賞し易くなり）、遊技者にとって有利な状態となる。
【００５６】
また、特別可変入賞装置２０は、ソレノイド７２（図２参照）により可動して大入賞口２１に遊技球が入賞可能な受入可能状態と、大入賞口２１に遊技球が入賞不能な受入不能状態とに変化可能であり、受入可能状態において大入賞口２１が開状態とされるものとなる。また、特別可変入賞装置２０から遊技盤６の背面に導かれた入賞球は、カウントスイッチ６３（図２参照）で検出される。遊技盤６の背面には、大入賞口２１内の経路を切り換えるためのソレノイド７３（図２参照）も設けられている。
【００５７】
特別可変入賞装置２０は、第１大当たり遊技状態において、大入賞口２１の開放から一定時間経過するまで、または所定個数（例えば、１０個）の遊技球が入賞するまで大入賞口２１を開放状態とする。大入賞口２１が開閉されてから一定期間（例えば、第１大当たり遊技状態においては３０秒、第２大当たり遊技状態においては１秒）経過するまで、または所定個数（例えば、１０個）の打球が大入賞口２１に入賞するまでが１ラウンドである。大当たり遊技状態は、このような大入賞口２１の開放が所定回数（例えば、１５回）に亘って繰り返して提供される遊技状態である。
【００５８】
特別可変入賞装置２０は、また、第２大当たり遊技状態において、大入賞口２１を極めて短い時間（例えば、０．２〜０．５秒程度）で２回だけ開放状態とする。突然確変大当たりしたときに確率変動状態に制御される前の遊技状態が、この第２大当たり遊技状態である。第２大当たり遊技状態は、大入賞口２１の開放が極めて短い期間しか行われないため、打球が１つも大入賞口２１に入賞しないまま終了して、確率変動状態に制御されることとなる場合も多く、第２大当たり遊技状態に制御されたこと自体が遊技者に気づかれない場合も多い。
【００５９】
また、遊技領域７の右側には、「○」及び「×」と付された左右一対のＬＥＤからなる普通図柄表示器１２が設けられている。この普通図柄表示器１２は、普通図柄と呼ばれる複数種類の識別情報（例えば、「○」及び「×」）を可変表示可能なものである。
【００６０】
ゲート２８ａ、２８ｂを遊技球が通過したことがゲートスイッチ６１（図２参照）で検出されると、普通図柄当たり判定用乱数が抽出されて主基板３１（図２参照）に搭載されるＲＡＭ５５（図２参照）の普通図柄バッファに格納される。この実施の形態では、ＲＡＭ５５（図２参照）の普通図柄バッファに記憶可能な普通図柄当たり判定用乱数の記憶数の上限は、４個となっている。普通図柄表示器１２において普通図柄の表示状態が変化（「○」および「×」が交互に点灯）する可変表示を開始できる状態（前回の普通図柄表示器１２における可変表示の終了）であれば、普通図柄表示器１２において普通図柄の可変表示が開始される。
【００６１】
普通図柄表示器１２の上方には、普通図柄バッファに格納される普通図柄当たり判定用乱数の記憶数を表示する所定数（この実施の形態では４つ）のＬＥＤを有する普通図柄保留記憶表示器１３が設けられている。この普通図柄保留記憶表示器１３は、ゲート２８ａ、２８ｂを遊技球が通過したことがゲートスイッチ６１で検出されて新たに普通図柄当たり判定用乱数が記憶されると、点灯するＬＥＤを１つ増やす。普通図柄表示器１２にて普通図柄（例えば、「○」及び「×」）の可変表示が開始される毎に点灯しているＬＥＤを１減らす。
【００６２】
普通図柄表示器１２にて、○と×の付された左右のランプ（点灯時に図柄が視認可能になる）が交互に点灯することによって普通図柄の可変表示が行われ、可変表示は所定時間（例えば、時短状態であれば２．９秒、時短状態でなければ２９．２秒）継続する。そして、可変表示の終了時に○の付された左側のランプが点灯すれば当たりとなる。普通図柄表示器１２における可変表示の表示結果が当たりである場合には、可変入賞装置１５が所定時間（例えば、時短状態であれば２．９秒、時短状態でなければ１．４秒）だけ開状態になる。
【００６３】
普通図柄の可変表示の結果を当たりとするか否かは、ゲート２８ａ、２８ｂを遊技球が通過し、ゲートスイッチ６１で遊技球が検出されたときに抽出された普通図柄当たり判定用乱数の値が所定の普通図柄当たり判定値と合致したか否かによって決定される。この当たり確率は、時短状態では非常に高い（例えば、３５／３６）が、時短状態でなければ低い（例えば、１／３６）となっている。時短状態は、このように可変入賞装置１５が開放状態にある割合が非常に多いので、遊技者の手持ちの遊技球を減少させずに（或いは、減少したとしても減少量はごく僅かで）、遊技を進められる状態となっている。
【００６４】
ゲート２８ａの左方及び下方、並びにゲート２８ｂの下方及び右方には、それぞれ入賞口２９ａ〜２９ｄが設けられている。入賞口２９ａ〜２９ｄに遊技球が入賞したことが入賞口スイッチ６４ａ（図２参照）で検出されると、所定数の遊技球が払い出される。遊技球の払い出しは、始動入賞口１４ａ、１４ｂ、大入賞口２１への遊技球の入賞によっても行われるが、ゲート２８ａ、２８ｂを遊技球が通過しても行われない。
【００６５】
遊技盤６の遊技領域７の下部には、入賞しなかった打球が取り込まれるアウト口７９が設けられている。また、遊技領域７の外側の左右上部には、所定の音声出力として効果音や音声を発声する２つのスピーカ２７が設けられている。遊技領域７の外周上部、外周左部および外周右部には、前面枠１１０に設けられた天枠ランプ４０、左枠ランプ４１および右枠ランプ４２（枠ランプ４０〜４２）が設けられている。
【００６６】
また、図１には示していないが。パチンコ遊技機１には打球操作ハンドル５を操作することにより駆動モータを駆動し、駆動モータの回転力を利用して遊技球を遊技領域７に発射する打球発射装置４５（図２参照）が設けられている。打球発射装置４５から発射された遊技球は、遊技盤６に遊技領域７を囲むように円形状に載設された打球レールを通って遊技領域７に入り、その後、遊技領域７を下りてくる。始動入賞口１４ａ、１４ｂ、大入賞口２１、入賞口２９ａ〜２９ｄのいずれにも入賞しなかった遊技球は、アウト口７９から排出されるものとなっている。
【００６７】
図２は、本実施形態に係るパチンコ遊技機１の回路構成の概要を表したブロック図であり、図中の点線は遊技盤６と遊技枠との境界を示している。なお、図中のカードユニット５０は、パチンコ遊技機１が備える部材ではないが、説明の便宜上、記載してある。主基板３１には、プログラムに従ってパチンコ遊技機１を制御する基本回路５３が搭載されている。基本回路５３は、ゲーム制御用のプログラム等を記憶するＲＯＭ５４、ワークメモリとして使用される記憶手段としてのＲＡＭ５５、プログラムに従って遊技の信号を制御するＣＰＵ５６、及び演出制御基板８０等に制御信号を送信するＩ／Ｏポート部５７を含む。この実施の形態では、ＲＯＭ５４、ＲＡＭ５５はＣＰＵ５６に内蔵されている。すなわち、ＣＰＵ５６は、１チップマイクロコンピュータである。
【００６８】
なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。また、この実施の形態で用いられる遊技制御用マイクロコンピュータとは、主基板３１に搭載されるＣＰＵ５６、ＲＯＭ５４、ＲＡＭ５５、Ｉ／Ｏポート部５７、等の周辺回路のことである。
【００６９】
また、ゲートスイッチ６１、始動ロスイッチ６２ａ、６２ｂ、カウントスイッチ６３、入賞口スイッチ６４、余剰球受皿４がいっぱいになったときに検出する満タンスイッチ（図示しない）、カウントスイッチ短絡信号（図示しない）、からの信号を基本回路５３に与えるスイッチ回路３２、可変入賞装置１５を開閉するソレノイド７１、特別可変入賞装置２０を開閉するソレノイド７２、大入賞口２１内に設けられたシーソーを可動するソレノイド７３、等を基本回路５３からの指令に従って駆動するソレノイド回路３３、電源投入時に基本回路５３をリセットするためのシステムリセット回路（図示しない）、基本回路５３から与えられるデータに従って、大当たり遊技状態（第１大当たり遊技状態、第２大当たり遊技状態）の発生を示す大当たり情報等の情報出力信号をホールコンピュータ等の外部装置に対して出力する情報出力回路３４、も主基板３１に搭載されている。
【００７０】
また、主基板３１に搭載されたＣＰＵ５６は、特別図柄表示器１０ａ、１０ｂの表示制御、および、普通図柄表示器１２の表示制御を行う。さらに、特別図柄保留記憶表示器１１ａ、１１ｂおよび普通図柄保留記憶表示器１３の発光制御を行う。
【００７１】
主基板３１に設けられた遊技制御用マイクロコンピュータ（ＣＰＵ５６及びＲＯＭ５４、ＲＡＭ５５等の周辺回路）は、プリペイドカード等が挿入されることによって球貸しを可能にするカードユニット５０、遊技盤６に設けられた複数の入賞口にて遊技球の入賞を検出したことにより賞球払い出しを行う球払出装置４４、を制御する払出制御基板３６に払出制御信号を送信する。また、遊技制御用マイクロコンピュータは、打球操作ハンドル５を操作することにより打球発射装置４５を駆動制御して遊技球を遊技領域７に向けて発射制御する発射制御基板３７に発射制御信号を送信する。
【００７２】
さらに、遊技制御用マイクロコンピュータは、演出制御基板８０に演出制御コマンド（演出制御信号）を送信する。演出制御コマンドを受信することにより演出制御基板８０に設けられた表示制御用マイクロコンピュータ（表示制御用ＣＰＵ（図示しない）、ＲＡＭ（図示しない）、ＲＯＭ（図示しない）、Ｉ／Ｏポート部（図示しない）、等の周辺回路）は、可変表示装置９の表示制御を行う。
【００７３】
表示制御用ＣＰＵは、ＲＯＭに格納されたプログラムに従って動作し、主基板３１から演出制御コマンドを受信すると、受信した演出制御コマンドに従って可変表示装置９の表示制御を行う。具体的には、画像表示を行う表示制御機能及び高速描画機能を有するＶＤＰ（図示しない）により可変表示装置９の表示制御を行う。表示制御用ＣＰＵは、受信した演出制御コマンドに従ってキャラクタＲＯＭ（図示しない）から必要なデータを読み出す。キャラクタＲＯＭは、可変表示装置９に表示される画像の中でも使用頻度の高いキャラクタ画像データ、具体的には、人物、怪物、文字、図形または記号等を予め格納しておくためのものである。
【００７４】
そして、表示制御用ＣＰＵは、キャラクタＲＯＭから読み出したデータをＶＤＰに出力する。ＶＤＰは、表示制御用ＣＰＵからデータが入力されたことに基づいて動作する。この実施の形態では、可変表示装置９の表示制御を行うＶＤＰ（図示しない）が演出制御基板８０に搭載されている。また、ＶＤＰは、表示制御用ＣＰＵとは独立した二次元のアドレス空間を持ち、そこにＶＲＡＭ（図示しない）をマッピングしている。ＶＤＰは、キャラクタ画像データに従って可変表示装置９に表示するための画像データを生成し、ＶＲＡＭに展開する。ＶＲＡＭは、ＶＤＰによって生成された画像データを展開するためのフレームバッファメモリである。そして、可変表示装置９に出力する。
【００７５】
また、演出制御基板８０には、スイッチ回路（図示しない）を介してチャンスボタン１６が接続されており、チャンスボタン１６の操作によって内容が変化される演出を可変表示装置９において実行しているときには、チャンスボタン１６の操作を検出した検出信号に基づいて、可変表示装置９における画像の表示を制御するものとしている。
【００７６】
また、この実施の形態では、演出制御基板８０に設けられた表示制御用マイクロコンピュータは、スピーカ２７の駆動信号を出力することによりスピーカ２７の音声出力制御を行うとともに、役物、ランプ・ＬＥＤの駆動信号を出力することによりパチンコ遊技機１に設けられた役物、装飾ランプ２５ａ〜２５ｃ、枠ランプ４０〜４２・ＬＥＤの発光制御を行う。すなわち、演出制御基板８０に搭載される表示制御用マイクロコンピュータは、主基板３１から送信される可変表示装置９の表示制御、装飾ランプ２５ａ〜２５ｃ、枠ランプ４０〜４２・ＬＥＤの点灯制御、遊技音発生等の演出の制御に関する指令情報としての演出制御コマンド（制御信号）に基づいて可変表示装置９、スピーカ２７、パチンコ遊技機１に設けられる装飾ランプ２５ａ〜２５ｃ、枠ランプ４０〜４２・ＬＥＤ等の発光体の制御を行う演出制御用マイクロコンピュータである。
【００７７】
ここで、前面枠１１０への遊技盤６の取付方法について説明する。遊技盤６は、ガラス扉枠２を開放した状態で、以下の手順に沿って、前面枠１１０の前側から前面枠１１０に取り付けられる。まず、前面枠１１０の一側端側（例えば、遊技機１の正面向かって左側）の上下部には、遊技盤６の一側端側を挿入する挿入保持部材が設けられている。また、前面枠１１０の他側端側（例えば、遊技機１の正面向かって右側）の上下部には、遊技盤６の他側端側を保持する保持部材が設けられている。遊技盤６は、先ず、前面枠１１０の一側端側の挿入保持部材に挿入して、次いで、前面枠１１０の他側端側の保持部材に嵌合し保持されて、前面枠１１０に取り付けられる。
【００７８】
図１０は、前面枠１１０への遊技盤６の取付方法を示す説明図であり、（Ａ）は取付後、（Ｂ）は取付前の様子を示している。図１０（Ｂ）に示すように、前面枠１１０の上部には保持部材１１１が設けられ、前面枠１１０の下部には保持部材１１３が設けられている。保持部材１１１，１１３は、前面枠１１０の他側端側に設けられた保持部材である。すなわち、遊技盤６は、その一側端側が前面枠１１０の一側端側に設けられている挿入保持部材に挿入された状態で、図１０に示す前面枠１１０の他側端側に設けられた保持部材１１１，１１３にその他側端側が嵌合し保持されることで、前面枠１１０に取り付けられる。
【００７９】
保持部材１１１，１１３は、それぞれ、断面コ字状の金属製の部材であり、可動軸１１２，１１４により前面枠１１０に軸支されている。遊技盤６の上端部と下端部を、それぞれ、保持部材１１１と保持部材１１３の内面に当接させた状態で、さらに前面枠１１０に向けて遊技盤６を押し込むと、保持部材１１１，１１３が可動軸１１２，１１４を中心に回動する。その結果、遊技盤６の上端部と下端部は、保持部材１１１，１１３のロック部(図示しない)にてロックされ、保持される。このように、遊技盤６を前面枠１１０に設けられた保持部材１１１，１１３に押し込むだけで、保持部材１１１，１１３が遊技盤６の上下端部に嵌合して遊技盤６が前面枠１１０に固定されるため、遊技盤６の遊技枠への取り付け作業は簡便である。
【００８０】
一方、前面枠１１０に取り付けられた遊技盤６を取り外すには、保持部材１１１，１１３に設けられたつまみ（図示しない）を引き上げてロック部によるロックを解除することで、遊技盤６が前方（図１０の紙面右方向）に移動可能となる。その後、遊技盤６の一側端側も、前面枠１１０の一側端側に設けられた保持部材から外すことで、遊技盤６を前面枠１１０から取り外すことができる。
【００８１】
なお、以上説明したように、遊技枠に対して遊技盤６は着脱自在に取り付けられるように構成されているが、遊技枠と遊技盤６との間の配線作業の省力化を実現するために、遊技枠と遊技盤６との配線はフローティングコネクタにより接続可能となっている。以下、フローティングコネクタについて説明する。
【００８２】
図１０に示すように、前面枠１１０には枠側コネクタ１１５と枠側コネクタ１１６（図１１、図１２参照）が設けられていて、遊技盤６には盤側コネクタ１４０と盤側コネクタ１４６（図１１、図１２参照）が設けられている。枠側コネクタ１１５と盤側コネクタ１４０、および、枠側コネクタ１１６と盤側コネクタ１４６は、それぞれ一対の雌雄コネクタである。枠側コネクタ１１５と盤側コネクタ１４６、および、枠側コネクタ１１６と盤側コネクタ１４６のそれぞれは、前面枠１１０への遊技盤６の取り付けと同時に結合可能となる位置に、前面枠１１０と遊技盤６での位置決めがされている。
【００８３】
図１１は、枠側コネクタ１１５，１１６の拡大斜視図である。枠側コネクタ１１５，１１６には、前面枠１１０側に設けられた電源基板Ｂ１（図１２参照），枠中継基板Ｂ２（図１２参照）からの配線Ｌ５，Ｌ６（図１２参照）と接続している。前面枠１１０には、前面枠１１０から突設する突起部１４１が設けられていて、突起部１４１には、凸状の端子部を有する枠側コネクタ１１５，１１６を揺動可能に支持する支持ネジ１４２が取り付けられている。支持部１４０ａに設けられた孔（図示しない）には、支持ネジ１４２が挿通され、前面枠１１０に対して枠側コネクタ１１５，１１６が前後に揺動可能となっている。また、支持部１４０ａの孔と支持ネジ１４２との間に若干の間隙を設けることで、枠側コネクタ１１５，１１６が前面枠１１０に対して前後、または、左右、上下方向へ揺動可能となっている。このように、枠側コネクタ１１５，１１６を前面枠１１０に対して前後、または、左右、上下方向に揺動可能に構成することで、前面枠１１０に遊技盤６を取り付ける際に、枠側コネクタ１１５，１１６と盤側コネクタ１４０，１４６とが互いの変位を許容しながら相互の位置決めが可能となり、両コネクタを簡単に結合させることができる。なお、互いの変位を許容しながら相互の位置決めを可能にするために揺動可能に構成するのは、盤側コネクタ１４０，１４６であってもよいし、あるいは枠側コネクタ１１５，１１６と盤側コネクタ１４０，１４６の双方であってもよい。なお、揺動する方向は、上下、左右方向のみに構成してもよい。
【００８４】
図１２は、フローティングコネクタによる、遊技盤６側に設けられる主基板３１や演出制御基板８０と、遊技枠側に設けられる電源基板Ｂ１や払出制御基板３６や枠中継基板Ｂ２との電気的な接続例を示す説明図である。ここで、電源基板Ｂ１とは、払出制御基板３６で用いられる電圧を作成する基板であり、枠中継基板Ｂ２とは、遊技枠側に設けられた演出装置、例えば、発光体（遊技盤６に設けられている装飾ランプ２５ａ〜２５ｃや遊技枠側に設けられている枠ランプ４０〜４２）やスピーカ２７を駆動させるための演出制御基板８０から出力される駆動信号を、各演出装置に中継するための基板である。なお、遊技枠側に設けられた演出装置であるチャンスボタン１６が遊技者によって操作されたとき、つまり、押下されたときに発生する操作信号（押下信号）は、Ｉ／Ｏポート部８４を介して演出制御基板８０に入力される。
【００８５】
図１２（Ａ）に示すように、遊技盤６側では、主基板３１と中継基板Ｂ３とは配線Ｌ１で、演出制御基板８０と中継基板Ｂ３とは配線Ｌ２で、演出制御基板８０と中継基板Ｂ４とは配線Ｌ３で、それぞれ接続されている。一方、遊技枠側では、電源基板Ｂ１と払出制御基板３６とは配線Ｌ４で接続されている。ここで、中継基板Ｂ３には盤側コネクタ１４０が設けられ、電源基板Ｂ１に接続されている配線Ｌ５には枠側コネクタ１１５が設けられている。中継基板Ｂ３と電源基板Ｂ１とは、盤側コネクタ１４０と枠側コネクタ１１５の結合により電気的に接続される。また、中継基板Ｂ４には盤側コネクタ１４６が設けられ、枠中継基板Ｂ２に接続されている配線Ｌ６には枠側コネクタ１１６が設けられている。中継基板Ｂ４と枠中継基板Ｂ２とは、盤側コネクタ１４６と枠側コネクタ１１６の結合により電気的に接続される。
【００８６】
図１２（Ｂ）に示すように、主基板３１から出力される球払出装置４４を制御するための払出制御信号は、中継基板Ｂ３および電源基板Ｂ１を介して払出制御基板３６に供給される。一方、電源基板Ｂ１からの電源電圧は、中継基板Ｂ３を介して主基板３１に供給される。また、図１２（Ｃ）に示すように、電源基板Ｂ１からの電源電圧は、中継基板Ｂ３を介して演出制御基板８０に供給される。一方、演出制御基板８０から出力される遊技枠側に設けられている演出装置への駆動信号は、中継基板Ｂ４と枠中継基板Ｂ２とを介して各演出装置に供給される。
【００８７】
なお、図１２（Ａ）には、電源基板Ｂ１と中継基板Ｂ３とを接続するフローティングコネクタ（盤側コネクタ１４０と枠側コネクタ１１５）と、枠中継基板Ｂ２と中継基板Ｂ４とを接続するフローティングコネクタ（盤側コネクタ１４６と枠側コネクタ１１６）の２組のフローティングコネクタを、遊技盤６側と遊技枠側とに設ける例を示している。これに代えて、例えば、遊技盤６側と遊技枠側とに１組のフローティングコネクタのみを設けて、同一のフローティングコネクタで、主基板３１や演出制御基板８０と払出制御基板３６とを接続すると共に、演出制御基板８０と枠中継基板Ｂ２とを接続するようにしてもよい。
【００８８】
このように、フローティングコネクタを用いることで、主基板３１や演出制御基板８０と払出制御基板３６とを接続する信号用配線と、主基板３１や演出制御基板８０と電源基板とを接続する電源用配線とを一括して接続することができる。そのため、信号用配線と電源用配線とを別々のコネクタを介して接続する場合に比べてコネクタ数の削減が可能となる。その結果、同じ配線数であったとしても、コネクタ数が少なく遊技盤６や前面枠１１０上での設置面積を小さくすることができ、コストダウンを図ることができる。また、グランド線のようなコモン線を重複して配線する必要がなく、配線数を削減することもできる。
【００８９】
以下、この実施の形態にかかるパチンコ遊技機１における特別図柄表示器１０ａ、１０ｂにおける特別図柄の変動表示、及び可変表示装置９における飾り図柄の変動表示について説明する。特別図柄の変動表示の結果を大当たりとするか否か、大当たりとする場合にはいずれの種類の大当たりとするか、さらには特別図柄の変動パターンをいずれとするかは、始動入賞時に抽出される各種乱数に基づいて、特別図柄表示器１０ａ、１０ｂにおける特別図柄の変動表示の始動条件が成立したときに決定される。
【００９０】
まず、大当たりの決定について説明する。図３（ａ）は、ＲＯＭ５４に記憶されている大当たり判定用テーブルを示す図である。特別図柄の変動表示の結果を大当たりとするか否かは、図３（ａ）の大当たり判定用テーブルと、始動入賞時に抽出された乱数のうちの大当たり判定用乱数（ランダムＲ：０〜６５５３５）の値とに基づいて決定される。通常時（非確率変動時）においては、大当たり判定用乱数の値が１０００〜１０５９、１３３２０〜１３４７７であれば、大当たりとすることを決定し、それ以外の値であれば、ハズレとすることを決定する。一方、確率変動時においては、大当たり判定用乱数の値が１０２０〜１５１９、１３３２０〜１５００４であれば、大当たりとすることを決定し、それ以外の値であれば、ハズレとすることを決定する。
【００９１】
次に、大当たり種別の決定について説明する。図３（ｂ）及び図３（ｃ）は、ＲＯＭ５４に記憶されている大当たり種別判定用テーブルを示す図である。ここで、図３（ｂ）は、特別図柄表示器１０ａで特別図柄の可変表示を行う場合に大当たり種別を決定するための大当たり種別判定用テーブルであり、図３（ｃ）は、特別図柄表示器１０ｂで特別図柄の可変表示を行う場合に大当たり種別を決定するための大当たり種別判定用テーブルである。
【００９２】
特別図柄表示器１０ａで特別図柄の可変表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が５または７であれば確率変動大当たりと決定し、０、１または３であれば確変昇格大当たりと決定し、９であれば突然確変大当たりと決定し、２、４、６または８であれば時短大当たりと決定する。
【００９３】
一方、特別図柄表示器１０ｂで特別図柄の可変表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が５または７であれば確率変動大当たりと決定し、１または３であれば確変昇格大当たりと決定し、０または９であれば突然確変大当たりと決定し、２、４、６または８であれば時短大当たりと決定する。
【００９４】
ところで、確率変動状態では、３０分の１の確率で大当たりとなるが、新たな大当たりが発生するまで特別図柄の可変表示が実行される回数の制限なく、時短状態に制御される。時短状態では、可変入賞装置１５が開放状態にある割合が非常に高く、特別図柄表示器１０ｂよりも優先される特別図柄表示器１０ａにて特別図柄の可変表示を行わせるための始動入賞口１４ａの入賞による保留記憶が途切れることが少ない。
【００９５】
特別図柄表示器１０ｂで特別図柄の可変表示を行う場合に確率変動大当たりまたは確変昇格大当たりとなる確率は、大当たりとなった場合の２／５（＝４／１０）であるのに対して、特別図柄表示器１０ｂで特別図柄の可変表示を行う場合に確率変動大当たりまたは確変昇格大当たりとなる確率は、大当たりとなった場合の１／２（＝５／１０）もある。つまり、一旦確率変動大当たりまたは確変昇格大当たりが発生すると、それに基づく第１大当たり遊技状態が終了してから、さらに遊技者が多くの遊技球を獲得することができる第１大当たり遊技状態を介して次も確率変動状態となる割合が高いものとなる。
【００９６】
次に、特別図柄の変動パターンの決定について説明する。図４は、ＲＯＭ５４に記憶されている特別図柄変動パターン決定用テーブルを示す図である。特別図柄の変動パターンは、開始条件が成立したときに、特別図柄の変動表示の結果（大当たりとするか否か、大当たりとする場合は大当たりの種別）に応じて決定されるものとなる。但し、ここでは説明を簡単にするため、確率変動大当たり、確変昇格大当たり、及び確変昇格大当たりにおける変動パターンの決定は、同じであるものとする。
【００９７】
また、変動パターンを決定する場合、まず始動入賞時に抽出された乱数のうちの変動パターン判定用乱数の値に基づいて変動パターンの種別を決定する。ハズレの場合には、まず、第１変動パターン判定用乱数の値に基づいて第１種別（リーチなし、リーチあり）を決定し、第２変動パターン判定用乱数の値に基づいて第２種別（擬似連なし、擬似連１回、擬似連２回、擬似連３回）を決定する。ここでは、リーチにならない擬似連があることが分かる。そして、さらに変動パターン判定用乱数の値に基づいて変動パターン（リーチなしの種別では、通常変動１または通常変動２。リーチありの種別では、ノーマル２コマ後、ノーマル１コマ前、ノーマル１コマ後、スーパーＡ２コマ後、スーパーＡ１コマ前、スーパーＡ１コマ後、スーパーＢ２コマ後、スーパーＢ１コマ前、スーパーＢ１コマ）後を決定するものとなる。
【００９８】
一方、確率変動大当たり、確変昇格大当たり、時短大当たりの場合は、後述する飾り図柄の表示結果が必ず大当たり表示態様となり、その前提として必ずリーチ表示態様が出現するので、第１変動パターン判定用乱数は無視して、第２変動パターン判定用乱数の値に基づいて種別（擬似連なし、擬似連１回、擬似連２回、擬似連３回、擬似連４回）を決定する。擬似連４回は、確率変動大当たり、確変昇格大当たり、時短大当たりの場合にしか選択されない種別である。そして、さらに変動パターン判定用乱数の値に基づいて変動パターン（ノーマル当たり、スーパーＡ当たり、スーパーＢ当たり、全回転当たり）を決定するものとなる。
【００９９】
ハズレでリーチありの場合と、確率変動大当たり、確変昇格大当たり、または時短大当たりの場合に、変動パターンの種別として擬似連なし、擬似連１回、擬似連２回、擬似連３回、或いは擬似連４回（確率変動大当たり、確変昇格大当たり、または時短大当たりの場合のみ）が決定されるが、各種別において振り分けられる変動パターンは、何れもリーチ表示態様が出現することとなる変動パターンである。ハズレでリーチありの場合のコマ数の違いを考慮しないものとすると、これらの種別で振り分けられる変動パターンは、ノーマル、スーパーＡ、スーパーＢ、全回転である。
【０１００】
もっとも、ノーマルは、確率変動大当たり、確変昇格大当たり、または時短大当たりで擬似連４回の種別が選択されたときには振り分けられることがない変動パターンである。また、全回転は、確率変動大当たり、確変昇格大当たり、または時短大当たりで擬似連３回または擬似連４回の種別が選択されたときにしか振り分けられることがない変動パターンである。
【０１０１】
また、例えば、ハズレでリーチありの場合は、擬似連なし、擬似連１回、擬似連２回、擬似連３回の何れの種別でも振り分けられることが可能なリーチの種類としては同じであるが、種別毎に変動パターンの振り分け比率は異なっている。同様に、確率変動大当たり、確変昇格大当たり、または時短大当たりで擬似連なし、擬似連１回または擬似連２回の何れの種別でも振り分けられることが可能なリーチの種類としては同じであるが、種別毎に変動パターンの振り分け比率が異なっている。全回転リーチは大当たり確定のリーチであるが、ノーマルよりもスーパーＡの方が、スーパーＡよりもさらにスーパーＢの方が、大当たりの期待度が高くなるように変動パターンの振り分けは行われている。
【０１０２】
また、突確大当たりの場合は、後述する飾り図柄の変動表示においてリーチ表示態様が出現することもなく、擬似連ともならないので、第１変動パターン判定用乱数、第２変動パターン判定用乱数の何れも無視して、必ず擬似連なしの種別に決定され、擬似連１回、擬似連２回、擬似連３回及び擬似連４回の種別が選択されることはない。そして、さらに変動パターン判定用乱数の値に基づいて変動パターン（突然確変１、突然確変２）を決定するものとなる。
【０１０３】
特別図柄の変動表示の結果をハズレとすることが決定されているときにおいて、リーチなしとリーチありが選択される確率は、それぞれＰ１、Ｐ２となっている（Ｐ１＋Ｐ２＝１、Ｐ１≫Ｐ２）。リーチなしにおいて、擬似連なし、擬似連１回、擬似連２回、擬似連３回の種別がそれぞれ選択される確率は、Ａ０、Ａ１、Ａ２、Ａ３となっている（Ａ０＋Ａ１＋Ａ２＋Ａ３＝１）。ここでは、擬似連なしが選択される確率Ａ０が圧倒的に高く、擬似連の回数が多くなるほど、選択される回数が少なくなっている。
【０１０４】
リーチありにおいて、擬似連なし、擬似連１回、擬似連２回、擬似連３回の種別がそれぞれ選択される確率は、Ｂ０、Ｂ１、Ｂ２、Ｂ３となっている（Ｂ０＋Ｂ１＋Ｂ２＋Ｂ３＝１）。ここでも、擬似連なしが選択される確率Ｂ０が選択される確率は、擬似連ありが選択される確率Ｂ１、Ｂ２、Ｂ３よりも高くなっているが、リーチなしの場合ほどの圧倒的な差はない。
【０１０５】
一方、特別図柄の変動表示の結果を確率変動大当たり、確変昇格大当たり、時短大当たりとすることが決定されているときにおいて、擬似連なし、擬似連１回、擬似連２回、擬似連３回、擬似連４回の種別がそれぞれ選択される確率は、Ｃ０、Ｃ１、Ｃ２、Ｃ３、Ｃ４となっている（Ｃ０＋Ｃ１＋Ｃ２＋Ｃ３＋Ｃ４＝１）。ここでは、擬似連なしが選択される確率Ｃ０は、ハズレの場合に擬似連なしが選択される確率Ａ０、Ｂ０に比べると低く、擬似連ありの選択確率Ｃ１、Ｃ２、Ｃ３、Ｃ４よりも低くてもよい。
【０１０６】
ここで、確率変動大当たり、確変昇格大当たり、時短大当たりとすることが決定されているときには必ずリーチ表示態様が出現する。一方、突確大当たりが決定されているときには、リーチ表示態様が出現することはなく、ハズレが決定されているときには、Ｐ２の確率でしかリーチ表示態様が出現しない。従って、各変動パターンにおいてリーチ表示態様が出現する期待度が高まるときには、確率変動大当たり、確変昇格大当たり、時短大当たりとなる期待度も高まることとなる。
【０１０７】
ところで、擬似連とは、特別図柄の変動表示に応じて可変表示装置９で飾り図柄が変動表示されるが、１回分の特別図柄の変動表示（すなわち、１回の始動入賞）に対して、飾り図柄表示領域９ａ〜９ｃの全てにおいて飾り図柄の変動表示を仮停止（図柄の更新を停止しているが確定はしていない状態であって、揺り動かすなどの状態としていてもよい）させた後に、全ての飾り図柄を再度変動表示させる再変動表示を１回または複数回実行する飾り図柄の変動表示パターンを指す。例えば、擬似連１回は、１回分の特別図柄の変動表示に対して、この再変動表示が１回だけ行われる（再変動表示の前後で合計２回の変動表示が行われる）パターンである。擬似連４回は、１回分の特別図柄の変動表示に対して、この再変動表示が４回行われる（合計５回の変動表示が行われる）パターンであり、５回目の変動表示が開始された段階で確率変動大当たり、確変昇格大当たり、または時短大当たりの何れかに決定されていることが確定的に分かるパターンである。
【０１０８】
また、擬似連の変動パターンでリーチ表示態様が出現する（ノーマル、スーパーＡ、スーパーＢのパターン）ことになるのは、一連の変動表示の過程で行われる複数回の変動表示のうちの最後の仮停止から最終停止までの変動表示だけである。例えば、擬似連２回のうちのノーマル（２コマ後、１コマ前、１コマ後、当たり）のパターンでは、変動表示の開始から１回目の仮停止までの変動表示、及び１回目の仮停止から２回目の仮停止までの変動表示ではリーチ表示態様は出現しない。２回目の仮停止から最終停止までの変動表示で、リーチ表示態様としてノーマルリーチが出現する。
【０１０９】
なお、特別図柄（及び飾り図柄）変動表示の時間は、変動表示の種別と、変動パターンの種類（通常変動１、通常変動２、ノーマル、スーパーＡ、スーパーＢ、全回転）とに応じて定まるものとなる。擬似連の回数が多いほど、変動表示の時間が長く、例えば、擬似連３回の通常変動１は、擬似連なしの通常変動１のおおよそ３倍の変動時間がある。また、リーチ変動（擬似連ありの場合は、最後の変動表示）における変動時間は、ノーマルよりもスーパーＡが、スーパーＡよりもスーパーＢの方が長くなっている。
【０１１０】
ここで、特別図柄表示器１０ａにおける特別図柄の変動表示と、特別図柄表示器１０ｂにおける特別図柄の変動表示では、変動パターンの種別、種類に違いがなく、その変動表示の結果が同じもの同士を比較すれば、変動パターン種別の選択確率にも違いはない。もっとも、特別図柄表示器１０ａにおいて特別図柄の変動表示を行う場合は、特別図柄表示器１０ｂの場合よりも、確変昇格大当たりの確率が高く、突然確変大当たりの確率が低くなっている。これを加味すると、特別図柄表示器１０ａ、１０ｂの何れにおいて特別図柄の変動表示を行うかによって、変動パターンの種別、種類の選択に違いが生じてくる。
【０１１１】
例えば、特別図柄表示器１０ａ、１０ｂの何れで特別図柄の可変表示を行う場合でも、ハズレの比率は変わらないので、擬似連なし、擬似連１回、擬似連２回、擬似連３回の各々の種別（リーチなしもリーチありも含む）が選択される割合は変わらない。これに対して、特別図柄表示器１０ａで特別図柄の可変表示を行う場合、特別図柄表示器１０ｂで特別図柄の可変表示を行う場合よりも、突然確変大当たりとなる確率が低いので、擬似連なしが選択される確率が相対的に低い。
【０１１２】
より詳細に説明すると、大当たり確率をＸ（Ｘは、１／３００または１／３０）とした場合において、擬似連なし、擬似連１回、擬似連２回、擬似連３回、擬似連４回の選択確率は、特別図柄表示器１０ａで特別図柄の変動表示を行う場合は、（１−Ｘ）×Ｐ１×Ａ０＋（１−Ｘ）×Ｐ２×Ｂ０＋Ｘ×０．９×Ｃ０＋０．１×Ｘ、（１−Ｘ）×Ｐ１×Ａ１＋（１−Ｘ）×Ｐ２×Ｂ１＋Ｘ×０．９×Ｃ１、（１−Ｘ）×Ｐ１×Ａ２＋（１−Ｘ）×Ｐ２×Ｂ２＋Ｘ×０．９×Ｃ２、（１−Ｘ）×Ｐ１×Ａ３＋（１−Ｘ）×Ｐ２×Ｂ３＋Ｘ×０．９×Ｃ３、Ｘ×０．９×Ｃ４となる。（この関係は、Ｘが１／３００でも１／３０でも同じ）。
【０１１３】
一方、特別図柄表示器１０ｂで特別図柄の変動表示を行う場合は、（１−Ｘ）×Ｐ１×Ａ０＋（１−Ｘ）×Ｐ２×Ｂ０＋Ｘ×０．８×Ｃ０＋０．２×Ｘ、（１−Ｘ）×Ｐ１×Ａ１＋（１−Ｘ）×Ｐ２×Ｂ１＋Ｘ×０．８×Ｃ１、（１−Ｘ）×Ｐ１×Ａ２＋（１−Ｘ）×Ｐ２×Ｂ２＋Ｘ×０．８×Ｃ２、（１−Ｘ）×Ａ３＋（１−Ｘ）×Ｐ２×Ｂ３＋Ｘ×０．８×Ｃ３、Ｘ×０．８×Ｃ４となる（この関係は、Ｘが１／３００でも１／３０でも同じ）。
【０１１４】
ここで、また、｛（１−Ｘ）×Ｐ１×Ａ０＋（１−Ｘ）×Ｐ２×Ｂ０＋Ｘ×０．９×Ｃ０＋０．１×Ｘ｝／｛（１−Ｘ）×Ｐ１×Ａ０＋（１−Ｘ）×Ｐ２×Ｂ０＋Ｘ×０．８×Ｃ０＋０．２×Ｘ＜｛（１−Ｘ）×Ｐ１×Ａ１＋（１−Ｘ）×Ｐ２×Ｂ１＋Ｘ×０．９×Ｃ１｝／｛（１−Ｘ）×Ｐ１×Ａ１＋＋（１−Ｘ）×Ｐ２×Ｂ１Ｘ×０．８×Ｃ１＜｛（１−Ｘ）×Ｐ１×Ａ２＋（１−Ｘ）×Ｐ２×Ｂ２＋Ｘ×０．９×Ｃ２｝／｛（１−Ｘ）×Ｐ１×Ａ２＋（１−Ｘ）×Ｐ２×Ｂ２＋Ｘ×０．８×Ｃ２＜｛（１−Ｘ）×Ｐ１×Ａ３＋（１−Ｘ）×Ｐ２×Ｂ３＋Ｘ×０．９×Ｃ３／｛（１−Ｘ）×Ｐ１×Ａ３＋（１−Ｘ）×Ｐ２×Ｂ３＋Ｘ×０．８×Ｃ３、｝＜｛Ｘ×０．９×Ｃ４｝／｛Ｘ×０．８×Ｃ４｝＝１という関係が生じる（この関係は、Ｘが１／３００でも１／３０でも同じ）。従って、特別図柄表示器１０ａで特別図柄の変動表示を行う方が、特別図柄表示器１０ｂで特別図柄の変動表示を行うときよりも、再変動表示が行われる回数が多くなりやすいことが分かる。
【０１１５】
また、ハズレ（リーチあり、リーチなし）の場合に擬似連４回が選択される確率をＡ４（＝０）、Ｂ４（＝０）と、突確大当たりの場合に擬似連なしが選択される確率をＣ０（＝１）とした場合において、特別図柄表示器１０ａで特別図柄の変動表示が行われるときには、Ｘ×０．９×Ｃ０／（（１−Ｘ）×Ｐ１×Ａ０＋（１−Ｘ）×Ｐ２×Ｂ０＋Ｘ×０．９×Ｃ０＋０．１×Ｃ０）＜Ｘ×０．９×Ｃ１／（（１−Ｘ）×Ｐ１×Ａ１＋（１−Ｘ）×Ｐ２×Ｂ１＋Ｘ×０．９×Ｃ１）＜Ｘ×０．９×Ｃ２／（（１−Ｘ）×Ｐ１×Ａ２＋（１−Ｘ）×Ｐ２×Ｂ２＋Ｘ×０．９×Ｃ２）＜Ｘ×０．９×Ｃ３／（（１−Ｘ）×Ｐ１×Ａ３＋（１−Ｘ）×Ｐ２×Ｂ３＋Ｘ×０．９×Ｃ３）＜Ｘ×０．９×Ｃ４／（（１−Ｘ）×Ｐ１×Ａ４＋（１−Ｘ）×Ｐ２×Ｂ４＋Ｘ×０．９×Ｃ４）＝１という関係がある（この関係は、Ｘが１／３００でも１／３０でも同じ）。
【０１１６】
特別図柄表示器１０ｂで特別図柄の変動表示が行われるときにも、Ｘ×０．８×Ｃ０／（（１−Ｘ）×Ｐ１×Ａ０＋（１−Ｘ）×Ｐ２×Ｂ０＋Ｘ×０．８×Ｃ０＋０．１×Ｃ０）＜Ｘ×０．８×Ｃ１／（（１−Ｘ）×Ｐ１×Ａ１＋（１−Ｘ）×Ｐ２×Ｂ１＋Ｘ×０．８×Ｃ１）＜Ｘ×０．８×Ｃ２／（（１−Ｘ）×Ｐ１×Ａ２＋（１−Ｘ）×Ｐ２×Ｂ２＋Ｘ×０．８×Ｃ２）＜Ｘ×０．８×Ｃ３／（（１−Ｘ）×Ｐ１×Ａ３＋（１−Ｘ）×Ｐ２×Ｂ３＋Ｘ×０．８×Ｃ３）＜Ｘ×０．８×Ｃ４／（（１−Ｘ）×Ｐ１×Ａ４＋（１−Ｘ）×Ｐ２×Ｂ４＋Ｘ×０．８×Ｃ４）＝１という関係がある（この関係は、Ｘが１／３００でも１／３０でも同じ）。従って、特別図柄表示器１０ａ、１０ｂの何れで特別図柄の変動表示が行われるときも、再変動表示の回数が多くなるほど、確率変動大当たり、確変昇格大当たりまたは時短大当たりとなりやすいことが分かる。
【０１１７】
さらに、特別図柄表示器１０ａで特別図柄の変動表示が行われるときには、（（１−Ｘ）×Ｐ２×Ｂ０＋Ｘ×０．９×Ｃ０）／（（１−Ｘ）×Ｐ１×Ａ０＋（１−Ｘ）×Ｐ２×Ｂ０＋Ｘ×０．９×Ｃ０＋０．１×Ｃ０）＜（（１−Ｘ）×Ｐ２×Ｂ１＋Ｘ×０．９×Ｃ１）／（（１−Ｘ）×Ｐ１×Ａ１＋（１−Ｘ）×Ｐ２×Ｂ１＋Ｘ×０．９×Ｃ１）＜（（１−Ｘ）×Ｐ２×Ｂ２＋Ｘ×０．９×Ｃ２）／（（１−Ｘ）×Ｐ１×Ａ２＋（１−Ｘ）×Ｐ２×Ｂ２＋Ｘ×０．９×Ｃ２）＜（（１−Ｘ）×Ｐ２×Ｂ３＋Ｘ×０．９×Ｃ３）／（（１−Ｘ）×Ｐ１×Ａ３＋（１−Ｘ）×Ｐ２×Ｂ３＋Ｘ×０．９×Ｃ３）＜（（１−Ｘ）×Ｐ２×Ｂ４＋Ｘ×０．９×Ｃ４）／（（１−Ｘ）×Ｐ１×Ａ４＋（１−Ｘ）×Ｐ２×Ｂ４＋Ｘ×０．９×Ｃ４）＝１という関係がある（この関係は、Ｘが１／３００でも１／３０でも同じ）。
【０１１８】
特別図柄表示器１０ｂで特別図柄の変動表示が行われるときにも、（（１−Ｘ）×Ｐ２×Ｂ０＋Ｘ×０．８×Ｃ０）／（（１−Ｘ）×Ｐ１×Ａ０＋（１−Ｘ）×Ｐ２×Ｂ０＋Ｘ×０．８×Ｃ０＋０．２×Ｃ０）＜（（１−Ｘ）×Ｐ２×Ｂ１＋Ｘ×０．８×Ｃ１）／（（１−Ｘ）×Ｐ１×Ａ１＋（１−Ｘ）×Ｐ２×Ｂ１＋Ｘ×０．８×Ｃ１）＜（（１−Ｘ）×Ｐ２×Ｂ２＋Ｘ×０．８×Ｃ２）／（（１−Ｘ）×Ｐ１×Ａ２＋（１−Ｘ）×Ｐ２×Ｂ２＋Ｘ×０．８×Ｃ２）＜（（１−Ｘ）×Ｐ２×Ｂ３＋Ｘ×０．８×Ｃ３）／（（１−Ｘ）×Ｐ１×Ａ３＋（１−Ｘ）×Ｐ２×Ｂ３＋Ｘ×０．８×Ｃ３）＜（（１−Ｘ）×Ｐ２×Ｂ４＋Ｘ×０．８×Ｃ４）／（（１−Ｘ）×Ｐ１×Ａ４＋（１−Ｘ）×Ｐ２×Ｂ４＋Ｘ×０．８×Ｃ４）＝１という関係がある（この関係は、Ｘが１／３００でも１／３０でも同じ）。従って、再変動表示の回数が多くなるほど、リーチ表示態様も出現しやすいことが分かる。
【０１１９】
特別図柄の変動パターンが決定されると、決定された変動パターンを示すコマンドが主基板３１の基本回路５３から演出制御基板８０に送信され、これによって可変表示装置９では、飾り図柄表示領域９ａ〜９ｃにおいて飾り図柄が変動表示される。また、変動パターンを示すコマンドとともに大当たりとするか否か及び大当たり種別を示すコマンドも主基板３１の基本回路５３から演出制御基板８０に送信され、これによって可変表示装置９では、特別図柄表示器１０ａ、１０ｂに特別図柄の変動表示の結果が表示されるタイミングで、飾り図柄の変動表示の結果が導出表示される。
【０１２０】
可変表示装置９における飾り図柄の変動表示の態様は、図４の特別図柄変動パターン決定用テーブルに基づいて決定された特別図柄の変動パターンによって異なるものとなる。つまり、特別図柄変動パターン決定用テーブル、並びに変動パターン判定用乱数及び変動パターン判定用乱数は、特別図柄表示器１０ａ、１０ｂにおける特別図柄の変動パターンの決定よりもむしろ可変表示装置９における飾り図柄の変動パターンの決定のために用いられているといった方が実情に近いものとなる。擬似連なしの通常変動１と突然確変１、擬似連なしの通常変動２と突然確変２とでは、特別図柄の変動表示には違いが生じるが、飾り図柄の変動表示に違いは生じない。
【０１２１】
また、飾り図柄の変動表示は、主基板３１の基本回路５３において決定された特別図柄の変動パターンに応じた変動パターンで実行されるものとなるが、特別図柄の変動表示のパターンの種別が通常変動以外であるときには、その変動表示の過程において飾り図柄の変動表示そのものとは異なる種々の演出が行われることがある。このような演出として、変動パターンが擬似連（擬似連１回、擬似連２回、擬似連３回または擬似連４回）における再変動表示を実行させることを予告する擬似連予告と、飾り図柄の変動表示においてリーチ表示態様が出現することを予告するリーチ予告演出がある。
【０１２２】
なお、擬似連予告やリーチ予告演出では、実行される演出の違いに応じて、確率変動大当たり、確変昇格大当たり、または時短大当たりになること、リーチ表示態様が出現すること、或いは、擬似連における再変動表示が継続することの期待感を遊技者に与えることとなるが、何れの演出が実行されたときにおいても擬似連予告やリーチ予告演出で遊技者に与える期待感とは別に、特別図柄表示器１０ａ、１０ｂの何れで特別図柄の可変表示が行われるかに応じて遊技者に期待感が与えられるものとなっている。
【０１２３】
まず、擬似連予告について説明する。擬似連予告は、飾り図柄が仮停止した後に再度変動表示することを予告する演出であり、飾り図柄の変動表示が仮停止する前に実行される先擬似予告と、飾り図柄の変動表示が仮停止したときに実行される後擬似予告とがある。擬似連２回〜４回の場合には、１回目の仮停止だけではなく、各々の回の仮停止の後に飾り図柄が再度変動表示することが擬似連の変動パターンに含まれる変動表示毎に予告される。ここでは、擬似連予告の態様について先に説明し、実行すべき擬似連予告の決定については、その後に説明するものとする。
【０１２４】
先擬似予告は、擬似連の変動パターンで飾り図柄が仮停止するよりも前の変動表示中において、装飾ランプ２５ａ〜２５ｃや枠ランプ４０〜４２を点灯させたり、役物２６を駆動することによって実行される擬似連予告である。先擬似予告には、その実行タイミングが早いものと遅いものとがある。実行タイミングが早い先擬似予告は、例えば、実行開始が飾り図柄の変動表示（或いは仮停止後の変動表示）が開始されるタイミング、或いは仮停止後の変動表示に関しては未だ飾り図柄が仮停止している間のタイミング（飾り図柄が仮停止している間に開始される先擬似予告は、さらに次の仮停止の後に変動表示が実行されることを予告する）で実行開始され、実行タイミングが遅い先擬似予告は、例えば、飾り図柄の（仮停止後の）変動表示が開始されてから一定期間が経過した後に実行開始される。
【０１２５】
このように、先擬似予告の演出手段として、遊技盤６に設けられている装飾ランプ２５ａ〜２５ｃの点灯や役物２６の駆動に加えて、ガラス扉枠２に設けられている枠ランプ４０〜４２を点灯させることで、遊技盤６に設けられた装飾ランプなどでのみ報知をする場合に比べて、遊技者に先擬似予告を容易に認識させることができる。なお、擬似連予告の演出手段としては、枠ランプ４０〜４２のほか、ガラス扉枠２に設けられているスピーカからの音出力を用いるようにしてもよい。
【０１２６】
また、先擬似予告には、装飾ランプ２５ａ〜２５ｃや枠ランプ４０〜４２の点灯に加えて役物２６を駆動することによって実行されるものと、装飾ランプ２５ａ〜２５ｃや枠ランプ４０〜４２を点灯することによってのみ実行されるものと、役物２６を駆動することによってのみ実行されるものとがある。これらのそれぞれについて、実行タイミングの早いものと遅いものがあり、先擬似予告が実行される演出手段と実行タイミングの違いに応じて６種類の先擬似予告があることになる。さらに、演出態様の違いに応じて、より多くの種類の先擬似予告があることになる。
【０１２７】
さらに、装飾ランプ２５ａ〜２５ｃや枠ランプ４０〜４２の点灯によって実行される先擬似予告（役物２６の駆動を併用するものを含む）では、擬似連における再変動表示の実行回数（次に実行される再変動表示も含めた実行回数であるが、ここから１回分を減算すればこれまでの再変動表示の実行回数と変わらなくなる）が報知される。この実行回数は、直接的に報知されるものではなく、装飾ランプ２５ａ〜２５ｃや枠ランプ４０〜４２のうちで点灯されるものの違いに応じて回数が報知される。例えば、装飾ランプ２５ａ〜２５ｃを例にすると、１回目の再変動表示を予告する場合は、装飾ランプ２５ａの点灯でのみ報知するが、２回目は２つの装飾ランプ２５ａ、２５ｂの点灯で報知し、３回目は２つの装飾ランプ２５ｂ、２５ｃの点灯で報知し、４回目は全ての装飾ランプ２５ａ〜２５ｃの点灯で報知する。
【０１２８】
もっとも、装飾ランプ２５ａ〜２５ｃや枠ランプ４０〜４２の点灯によって実行される先擬似予告において、装飾ランプ２５ａ〜２５ｃや枠ランプ４０〜４２のうちで点灯されるものが本来の再変動表示の実行回数とは異なるものとなることがある。本来の再変動表示の回数とは異なる回数となる先擬似予告は、詳細を後述するように、その先擬似予告で予告した再変動表示の後にさらに新たな再変動表示が行われる可能性が高くなることを示すものである。
【０１２９】
一方、後擬似予告は、擬似連の変動パターンで飾り図柄が仮停止したときに、このような仮停止の場合以外には出現し得ないハズレの出目であるチャンス目を表示することにより、仮停止している全ての図柄が再度変動表示した後に、さらに飾り図柄の仮停止及び変動表示を含む再変動表示が実行されることを予告するものである。４回目の仮停止から全ての図柄が再度変動表示した後に再び飾り図柄が仮停止されるということはないので、後擬似予告は、３回目の仮停止までの間で実行される。後擬似予告は、飾り図柄の変動表示の過程に含められて実行されるものであるが、主基板３１の側で決定するものではなく、擬似連の変動表示パターンに従って演出制御基板８０の側で決定するものである。
【０１３０】
また、後擬似予告で表示されるチャンス目にはチャンス目Ａ（例えば、「１−３−５」とチャンス目Ｂ（例えば、「１−５−３」）の２種類があり、後擬似予告では、そのうちの何れかのチャンス目が表示される。
【０１３１】
次に、実行すべき擬似連予告（擬似連予告なしを含む）の決定について説明する。図５は、実行すべき擬似連予告を決定するための各種テーブルを示す図である。変動パターンの種別として擬似連１回、擬似連２回、擬似連３回、または擬似連４回が選択されている場合において実行すべき擬似連予告を決定する場合、第１の乱数を抽出し、抽出した第１の乱数に従って図５（ａ）に示すテーブルを参照して、まず、擬似連予告なし、先擬似予告を実行、後擬似予告を実行、または先擬似予告と後擬似予告の両方を実行の何れかを決定する。
【０１３２】
この決定は、飾り図柄の変動表示を開始するときに決定され、例えば、擬似連２回で後擬似予告が決定されたときには飾り図柄が２回仮停止されることとなるが、その何れでも後擬似予告（チャンス目の停止）が行われる。また、説明を簡単にするため、ここでは擬似連１回、擬似連２回、擬似連３回、または擬似連４回の何れにおいても、擬似連予告なし、先擬似予告を実行、後擬似予告を実行、または先擬似予告と後擬似予告の両方を実行の選択確率は同じであるものとする（但し、確率変動大当たり、確変昇格大当たりまたは時短大当たりの何れかが決定されているか否かによっては異なる）が、擬似連１回、擬似連２回、擬似連３回、または擬似連４回において選択確率が異なっていてもよい。
【０１３３】
また、擬似連予告なし、後擬似予告を実行、先擬似予告を実行、両方を実行の何れを選択するかの選択確率は、確率変動大当たり、確変昇格大当たりまたは時短大当たりの何れかが決定されているか否かに応じて異なる。つまり、後擬似予告を実行、先擬似予告を実行、両方を実行の何れを選択するかの選択確率は、確率変動大当たり、確変昇格大当たりまたは時短大当たりの何れも決定されていないときにはそれぞれα１、α２、α３、α４であるが、確率変動大当たり、確変昇格大当たりまたは時短大当たりの何れかが決定されているときにはそれぞれβ１、β２、β３、β４となっている。両方を実行の選択確率α４、β４は、擬似連予告なしの選択確率α１、β１、後擬似予告を実行の選択確率α２、β２、先擬似予告を実行の選択確率α３、β３に比べて、かなり低い数値になっている。
【０１３４】
ここで、確率変動大当たり、確変昇格大当たりまたは時短大当たりの何れかが決定されているときの後擬似予告の選択確率β２は、α２よりも僅かに低くなっている。先擬似予告を実行の選択確率β３、両方を実行の選択確率β４は、何れも決定されていないときの選択確率α３、α４よりも高くなっており、特に両方を実行の選択確率β４は、α４よりも大幅に高くなっている。β４は、α４よりも僅かに高いだけである。その分だけ、擬似連予告なしの選択確率β１は、α１よりも大幅に低くなっている。α１≫β１、α２＞β２、α３＜β３、α４≪β４の大小関係があるが、このことから、β１／α１＜β２／α２＜β３／α３＜β４／α４という関係が生じることとなる。
【０１３５】
大当たり確率やリーチ確率を考慮して算出したハズレの場合における擬似連予告なし、後擬似予告、先擬似予告、両方を実行の選択確率は、｛（１−Ｘ）×Ｐ１×（Ａ１＋Ａ２＋Ａ３）＋（１−Ｘ）×Ｐ２×（Ｂ１＋Ｂ２＋Ｂ３）｝×α１、｛（１−Ｘ）×Ｐ１×（Ａ１＋Ａ２＋Ａ３）＋（１−Ｘ）×Ｐ２×（Ｂ１＋Ｂ２＋Ｂ３）｝×α２、｛（１−Ｘ）×Ｐ１×（Ａ１＋Ａ２＋Ａ３）＋（１−Ｘ）×Ｐ２×（Ｂ１＋Ｂ２＋Ｂ３）｝×α３、｛（１−Ｘ）×Ｐ１×（Ａ１＋Ａ２＋Ａ３）＋（１−Ｘ）×Ｐ２×（Ｂ１＋Ｂ２＋Ｂ３）｝×α４となる。
【０１３６】
一方、大当たりのうちで確率変動大当たり、確変昇格大当たりまたは時短大当たりとなる確率をＹ（Ｙは、９／１０または８／１０）とした場合、確率変動大当たり、確変昇格大当たりまたは時短大当たりの場合における擬似連予告なし、後擬似予告、先擬似予告、両方を実行の選択確率は、｛Ｘ×Ｙ×（Ｃ１＋Ｃ２＋Ｃ３＋Ｃ４）｝×β１、｛Ｘ×Ｙ×（Ｃ１＋Ｃ２＋Ｃ３＋Ｃ４）｝×β２、｛Ｘ×Ｙ×（Ｃ１＋Ｃ２＋Ｃ３＋Ｃ４）｝×β３、｛Ｘ×Ｙ×（Ｃ１＋Ｃ２＋Ｃ３＋Ｃ４）｝×β４となる。
【０１３７】
例えば、擬似連予告なしのうちで確率変動大当たり、確変昇格大当たりまたは時短大当たりとなっている確率を求めると、［｛（１−Ｘ）×Ｐ１×（Ａ１＋Ａ２＋Ａ３）＋（１−Ｘ）×Ｐ２×（Ｂ１＋Ｂ２＋Ｂ３）｝×α１］／［｛Ｘ×Ｙ×（Ｃ１＋Ｃ２＋Ｃ３＋Ｃ４）｝×β１］＝［｛（１−Ｘ）×Ｐ１×（Ａ１＋Ａ２＋Ａ３）＋（１−Ｘ）×Ｐ２×（Ｂ１＋Ｂ２＋Ｂ３）｝／｛Ｘ×Ｙ×（Ｃ１＋Ｃ２＋Ｃ３＋Ｃ４）｝］×［α１／β１］となる。
【０１３８】
ここで、［｛（１−Ｘ）×Ｐ１×（Ａ１＋Ａ２＋Ａ３）＋（１−Ｘ）×Ｐ２×（Ｂ１＋Ｂ２＋Ｂ３）｝／｛Ｘ×Ｙ×（Ｃ１＋Ｃ２＋Ｃ３＋Ｃ４）｝］＝Ｚとおくと、擬似連予告なし、後擬似予告、先擬似予告、両方を実行のそれぞれで確率変動大当たり、確変昇格大当たりまたは時短大当たりとなっている確率は、Ｚ×（β１／α１）、Ｚ×（β２／α２）、Ｚ×（β３／α３）、Ｚ×（β４／α４）となる。
【０１３９】
（１−Ｘ）≫Ｘであることから、Ｚ＞１と考えられ、β１／α１＜β２／α２＜β３／α３＜β４／α４という関係があることから、Ｚ×（β１／α１）＜Ｚ×（β２／α２）＜Ｚ×（β３／α３）＜Ｚ×（β４／α４）という関係が生じることが分かる。従って、擬似連予告の実行なし、後擬似予告が実行、先擬似予告が実行、両方が実行の違いによって、確率変動大当たり、確変昇格大当たりまたは時短大当たりとなる期待度が異なる（後に記載した態様ほど、期待度が高い）ものとなることが分かる。
【０１４０】
確率変動大当たり、確変昇格大当たりまたは時短大当たりの何れかが決定されていることでリーチ表示態様が出現する確率も高くなることから、擬似連予告の実行なし、先擬似予告が実行、後擬似予告が実行、両方が実行の違いによって、リーチ表示態様が出現する期待度も異なるものとなる。これについては、特に計算式は示さないものの、上記の場合と同様に計算しても、その関係が分かることになる。また、確率変動大当たり、確変昇格大当たりまたは時短大当たりの何れかが決定されていると回数の多い擬似連の変動パターンが選択されやすくなることから、擬似連予告の実行なし、先擬似予告が実行、後擬似予告が実行、両方が実行の違いによって、擬似連における再変動表示が継続する期待度も異なるものとなる。
【０１４１】
なお、後擬似予告の実行確率（先擬似予告とともに実行される場合を含む）、すなわち飾り図柄の仮停止時にチャンス目が表示される確率は、確率変動大当たり、確変昇格大当たりまたは時短大当たりの何れかが決定されているか否かに応じて異なっているので、飾り図柄の変動表示においてチャンス目が表示されずに表示結果がハズレ（ハズレまたは突確大当たり）となる確率に対するチャンス目が表示されずに大当たり（確率変動大当たり、確変昇格大当たりまたは時短大当たり）となる確率の比は、チャンス目が表示されてハズレとなる確率に対するチャンス目が表示されて大当たりとなる確率の比とは異なるものなっている。
【０１４２】
もっとも、後擬似予告の実行確率を、確率変動大当たり、確変昇格大当たりまたは時短大当たりの何れかが決定されているか否かに応じて上記のような割合に定めたことで、飾り図柄の変動表示においてチャンス目が表示されずリーチ表示態様も出現しない確率に対するチャンス目が表示されないがリーチ表示態様が出現する確率の比は、チャンス目が表示されるがリーチ表示態様が出現しない確率に対するチャンス目が表示されてリーチ表示態様が出現する確率の比とも異なるものともなっている。
【０１４３】
さらに、飾り図柄の変動表示においてＭ回だけ再変動表示が実行されてチャンス目が表示されない確率に対するＭ回だけ再変動表示が実行されてチャンス目が表示される確率の比は、Ｎ回（Ｎ＞Ｍ）だけ再変動表示が実行されてチャンス目が表示されない確率に対するＮ回だけ再変動表示が実行されてチャンス目が表示される確率の比とも異なるものともなっている。
【０１４４】
また、確率変動大当たり、確変昇格大当たりまたは時短大当たりの何れかが決定されているときに、後擬似予告が実行される（すなわち、チャンス目が表示される）場合に先擬似予告も実行される割合は、α４／（α２＋α４）となっており、後擬似予告が実行されない（すなわち、チャンス目が表示されない）場合に先擬似予告が実行される割合は、α３／（α１＋α３）となっている。また、ハズレが決定されているときに、後擬似予告が実行される（すなわち、チャンス目が表示される）場合に先擬似予告も実行される割合は、β４／（β２＋β４）となっており、後擬似予告が実行されない（すなわち、チャンス目が表示されない）場合に先擬似予告が実行される割合は、β３／（β１＋β３）となっている。
【０１４５】
ここで、α４、β４は、α１、α２、α３、β１、β２、β３に比べてかなり低い数値となっているため、α４／（α２＋α４）＜α３／（α１＋α３）、β４／（β２＋β４）＜β３／（β１＋β３）という関係が生じるものとなる。つまり、確率変動大当たり、確変昇格大当たりまたは時短大当たりとなるか否かに関わらず、チャンス目が表示されることとなる場合において先擬似予告も実行される割合は、チャンス目が表示されない場合において先擬似予告が実行される割合よりも低いものとなっている。
【０１４６】
後擬似予告を実行、先擬似予告を実行、両方を実行の何れかが決定された場合に、実行すべき擬似連予告（先擬似予告および／または後擬似予告の態様は、飾り図柄の変動表示が開始してから１回目の仮停止まで、仮停止から次の仮停止まで、仮停止から最終停止までの各変動表示を単位として、各単位について変動表示が開始されるときに決定されるものとなっている。
【０１４７】
先擬似予告を実行することが決定された場合（後擬似予告とともに実行することが決定された場合を含む）には、第２の乱数を抽出し、抽出した第２の乱数に従って図５（ｂ）に示すテーブルを参照して、先擬似予告の態様を決定するものとしている。先擬似予告の態様の選択確率は、１回目の再変動表示の予告の場合と、２回目または３回目の再変動表示の予告の場合と、４回目の再変動表示の予告の場合とで異なっており、また、その後に再変動表示が実行されるか、それとも再変動表示が実行されることなく表示結果が導出されることになるかによって異なるものとなっている。
【０１４８】
先擬似予告を実行することが決定された場合（後擬似予告とともに実行することが決定された場合を含む）には、また、第３の乱数を抽出し、先擬似予告の実行タイミングを決定するものとしている。先擬似予告の実行タイミングを決定するためのテーブルは特に図示しないが、２回目〜４回目の再変動表示についての先擬似予告の実行タイミングの選択確率は、その後に再変動表示が実行されるか、それとも再変動表示が実行されることなく表示結果が導出されることになるかによって異なるものとなっている。例えば、遅い実行タイミングを選択する比率は、その後に再変動表示が実行されるときの方が再度変動表示が実行されない場合に比べれば高くはなっているものの、何れの場合でも早いタイミングを選択する比率の方が遅いタイミングを選択する比率よりは高い。
【０１４９】
１回目の再変動表示の予告（特別図柄の変動パターンが擬似連であることが前提なので、再変動表示が実行されない場合の先擬似予告はない）では、実行なし、役物のみ、ランプ（装飾ランプ２５ａ〜２５ｃと枠ランプ４０〜４２）のみ、役物＋ランプの何れかの態様が、それぞれａ１、ａ２、ａ３、ａ４の割合で選択される。１回目の再変動表示の予告であるので、ランプのみ、役物＋ランプの態様で点灯されるのは、装飾ランプ２５ａ〜２５ｃを例にすると、装飾ランプ２５ａ〜２５ｃのうちで装飾ランプ２５ａのみである。
【０１５０】
また、実行なし、すなわち先擬似予告の実行を制限することが選択されるのは、この１回目の再変動表示の予告の場合だけである。擬似連１回の場合に１回目の再変動表示の予告として実行なしが選択された場合には、最終的な結果が導出されるまでに先擬似予告が実行されることが全くなくなるが、擬似連２回〜４回の場合に１回目の再変動表示の予告として実行なしが選択されても、２回目から４回目の再変動表示の予告は行われる。
【０１５１】
２回目または３回目の再変動表示の予告では、役物のみ、ランプのみ（±０）、ランプのみ（−１）、ランプのみ（＋１）、役物＋ランプ（±０）、役物＋ランプ（−１）、役物＋ランプ（＋１）の何れかの態様が選択される。ここで、ランプのみ、役物＋ランプにある“±０”、“−１”、“＋１”とは、その後に再変動表示が行われると仮定した場合におけるそこまでの再変動表示の実行回数が、実際の実行回数通り、実際の実行回数よりも１少ない、実際の実行回数よりも１多いということを示す。例えば、装飾ランプ２５ａ〜２５ｃを例にすると、２回目の再変動表示の予告としてランプ（±０）が選択されたときには、装飾ランプ２５ａ、２５ｂが点灯されるが、装飾ランプ（＋１）が選択されたときには、装飾ランプ２５ａ、２５ｃが点灯される。
【０１５２】
また、各態様の選択確率は、その後に再変動表示が実行されることなく表示結果が導出される場合には、それぞれｂ１、ｂ２、ｂ３、ｂ４、ｂ５、ｂ６、ｂ７と、その後に再変動表示が実行される場合には、それぞれｃ１、ｃ２、ｃ３、ｃ４、ｃ５、ｃ６、ｃ７となっている。各選択確率を示す数値間には、ｂ１＞ｃ１（＝ｂ１−（ｂ５＋ｂ６＋ｂ７））、ｂ２＝ｃ２、ｂ３＝ｃ３、ｂ４＝ｃ４、ｂ５＜ｃ５、ｂ６＜ｃ６、ｂ７＜ｃ７となる関係がある。つまり、役物２６の駆動のみで先擬似予告が実行されたときには、その後に再変動表示が実行される確率が相対的に低いのに対して、装飾ランプ２５ａ〜２５ｃや枠ランプ４０〜４２の点灯と役物２６の駆動で先擬似予告が実行されたときには、その後に再変動表示が実行される確率が相対的に高いものとなる。
【０１５３】
また、各選択確率を示す数値間には、ｂ２／（ｂ２＋ｂ３＋ｂ４）＞ｃ２／（ｃ２＋ｃ３＋ｃ４）、ｂ３／（ｂ２＋ｂ３＋ｂ４）＜ｃ３／（ｃ２＋ｃ３＋ｃ４）、ｂ４／（ｂ２＋ｂ３＋ｂ４）＜ｃ４／（ｃ２＋ｃ３＋ｃ４）、ｂ５／（ｂ５＋ｂ６＋ｂ７）＞ｃ５／（ｃ５＋ｃ６＋ｃ７）、ｂ６／（ｂ５＋ｂ６＋ｂ７）＜ｃ６／（ｃ５＋ｃ６＋ｃ７）、ｂ７／（ｂ５＋ｂ６＋ｂ７）＜ｃ７／（ｃ５＋ｃ６＋ｃ７）という関係もある。つまり、先擬似予告において実際の変動表示の回数とは異なる回数が装飾ランプ２５ａ〜２５ｃや枠ランプ４０〜４２の点灯で報知されたときには、その後に再変動表示が実行される確率が相対的に高いものとなる。
【０１５４】
４回目の再変動表示の予告では、役物のみ、ランプのみ（±０）、ランプのみ（−１）、役物＋ランプ（±０）、役物＋ランプ（−１）の何れかの態様が選択される。ランプのみ（±０）、役物＋ランプ（±０）では、装飾ランプ２５ａ〜２５ｃと枠ランプ４０〜４２の全てが点灯されるが、ランプのみ（−１）、役物＋ランプ（−１）では、実際よりも１回少ない回数を示すように、装飾ランプ２５ａ、２５ｃと枠ランプ４０，４２が点灯される。また、各態様の選択確率は、その後に再変動表示が実行されることなく表示結果が導出される場合には、それぞれｄ１、ｄ２、ｄ３、ｄ４、ｄ５と、その後に再変動表示が実行される場合には、それぞれｅ１、ｅ２、ｅ３、ｅ４、ｅ５となっている。
【０１５５】
各選択確率を示す数値間には、ｄ１＞ｅ１（＝ｄ１−（ｅ４＋ｅ５））、ｄ２＝ｅ２、ｄ３＝ｅ３、ｄ４＜ｅ４、ｄ５＜ｅ５なる関係がある。つまり、役物２６の駆動のみで先擬似予告が実行されたときには、その後に再変動表示が実行される確率が相対的に低いのに対して、装飾ランプ２５ａ〜２５ｃや枠ランプ４０〜４２の点灯と役物２６の駆動で先擬似予告が実行されたときには、その後に再変動表示が実行される確率が相対的に高いものとなる。
【０１５６】
また、ｄ２／（ｄ２＋ｄ３）＞ｅ２／（ｅ２＋ｅ３）、ｄ３／（ｄ２＋ｄ３）＜ｅ３／（ｅ２＋ｅ３）、ｄ４／（ｄ４＋ｄ５）＞ｅ４／（ｅ４＋ｅ５）、ｄ５／（ｄ４＋ｄ５）＜ｅ５／（ｅ４＋ｅ５）という関係もあり、先擬似予告において実際の変動表示の回数とは異なる回数が装飾ランプ２５ａ〜２５ｃや枠ランプ４０〜４２の点灯で報知されたときには、その後に再変動表示が実行される確率が相対的に高いものとなる。
【０１５７】
なお、再変動表示が実行されるということは、擬似連の回数が多くなるということであり、それだけリーチ表示態様が出現する確率や、確率変動大当たり、確変昇格大当たりまたは時短大当たりとなる確率が高くなるということである。従って、装飾ランプ２５ａ〜２５ｃや枠ランプ４０〜４２の点灯のみで先擬似予告が実行されたときには役物２６の駆動のみで先擬似予告が実行されたときよりも、装飾ランプ２５ａ〜２５ｃや枠ランプ４０〜４２の点灯と役物２６の駆動で先擬似予告が実行されたときには装飾ランプ２５ａ〜２５ｃや枠ランプ４０〜４２の点灯で先擬似予告が実行されたときよりも、再変動表示が実行される期待度が高くなるだけではなく、リーチ表示態様が出現する期待度も、確率変動大当たり、確変昇格大当たりまたは時短大当たりとなる期待度も高くなる。
【０１５８】
また、装飾ランプ２５ａ〜２５ｃや枠ランプ４０〜４２の点灯で先擬似予告が実行された場合（役物２６の駆動でも先擬似予告が実行された場合も含む）において、実際の再変動表示の回数とは異なる態様で装飾ランプ２５ａ〜２５ｃや枠ランプ４０〜４２が点灯された場合には、実際の再変動表示の回数に応じた態様で装飾ランプ２５ａ〜２５ｃや枠ランプ４０〜４２が点灯されたときよりも、再変動表示が実行される期待度が高くなるだけではなく、リーチ表示態様が出現する期待度も、確率変動大当たり、確変昇格大当たりまたは時短大当たりとなる期待度も高くなる。
【０１５９】
また、後擬似予告を実行することが決定された場合（先擬似予告とともに実行することが決定された場合を含む）には、第４の乱数を抽出し、抽出した第４の乱数に従って図５（ｃ）に示すテーブルを参照して、後擬似予告の態様（チャンス目Ａ、チャンス目Ｂ）を決定するものとしている。擬似予告の態様の選択確率は、飾り図柄が再度変動表示してからさらに新たな再変動表示が実行されるか、それとも再変動表示が実行されることなく表示結果が導出されることになるかによって異なるものとなっている。
【０１６０】
ここで、さらに再変動表示が実行されるときのチャンス目Ｂの選択確率ｇ２は、さらに再変動表示が示が実行されないときのチャンス目Ｂの選択確率ｆ２よりも高くなっており、逆に、その分だけさらに再変動表示が実行されるときのチャンス目Ａの選択確率ｇ１が、さらに再変動表示が実行されないときのチャンス目Ａの選択確率ｆ１よりも低くなっている。つまり、飾り図柄が仮停止してチャンス目Ｂが表示されたときにはチャンス目Ａが表示されたときよりも、さらに再変動表示が実行される期待度が高いということになる。
【０１６１】
なお、再変動表示が実行されるということは、擬似連の回数が多くなるということであり、それだけリーチ表示態様が出現する確率や、確率変動大当たり、確変昇格大当たりまたは時短大当たりとなる確率が高くなるということである。つまり、飾り図柄が仮停止したときにチャンス目Ｂが表示されると、再変動表示が実行される期待度が高くなるだけではなく、リーチ表示態様が出現する期待度も、確率変動大当たり、確変昇格大当たりまたは時短大当たりとなる期待度も高くなる。
【０１６２】
また、この実施の形態にかかるパチンコ遊技機１における予告演出として、上記した先擬似予告と同じ態様の予告演出（擬似連予告ではない）が、突然確率大当たりとすることが決定されているときに飾り図柄の変動表示が停止される前において、所定の割合で実行されるものとなっている。つまり、遊技者が先擬似予告によって飾り図柄の再変動表示が実行されるものと考えていたところで、飾り図柄の再変動表示が実行されることなく変動表示の結果が表示されて、第２大当たり遊技状態（遊技者に気づかれないことも多い）を経て確率変動状態に制御されることがあるものとなっている。
【０１６３】
なお、突確大当たりの場合に先擬似予告と同じ態様の予告演出が実行される場合の、該予告演出の態様（先擬似予告における１回目の再変動表示の予告と同じ）及び実行タイミングの選択確率は、先擬似予告で１回目の再変動表示の予告をする場合（再変動表示が実行される場合のみ）において態様及び実行タイミングを選択する比率とは異なるものとしている（例えば、実行なし、役物のみ、ランプのみ、役物＋ランプの選択確率を、ｈ１、ｈ２、ｈ３、ｈ４とする）。
【０１６４】
図１３は、擬似連予告の演出例を示す説明図であり、（Ａ）は先擬似予告、（Ｂ）〜（Ｅ）は後擬似予告の演出例である。ここでは、擬似連４回、つまり、１回分の特別図柄の変動表示（すなわち、１回の始動入賞）に対して再変動表示が４回（変動表示が合計５回）行われる場合を例に示している。また、１回目の仮停止より前に先擬似予告が実行され、１〜４回の仮停止のときに後擬似予告が実行される場合を例に示している。
【０１６５】
図１３（Ａ）は、１回目の仮停止より前に、天枠ランプ４０、左枠ランプ４１、右枠ランプ４２が点灯すると共に、ガラス扉枠２に設けられた遊技盤６周辺の発光体が白色に点滅して擬似連予告（先擬似予告）が実行されていることを示している。図１３（Ｂ）は、１回目の仮停止があったときに、ガラス扉枠２に設けられた遊技盤６周辺の発光体のうちガラス扉枠２の下から１／４程度の高さまでの発光体と、左枠ランプ４１と右枠ランプ４２の下から１／４程度の高さまでが赤色に点滅して擬似連予告（後擬似予告）が実行され、その後、２回目の変動表示が開始されていることを示している。図１３（Ｃ）は、２回目の仮停止があったときに、ガラス扉枠２に設けられた遊技盤６周辺の発光体のうちガラス扉枠２の下から１／２程度の高さまでの発光体と、左枠ランプ４１と右枠ランプ４２の下から１／２程度の高さまでが赤色に点滅して擬似連予告（後擬似予告）が実行され、その後、３回目の変動表示が開始されていることを示している。図１３（Ｄ）は、３回目の仮停止があったときに、ガラス扉枠２に設けられた遊技盤６周辺の発光体のうちガラス扉枠２の下から３／４程度の高さまでの発光体と、左枠ランプ４１と右枠ランプ４２の下から３／４程度の高さまでが赤色に点滅して擬似連予告（後擬似予告）が実行され、その後、４回目の変動表示が開始されていることを示している。図１３（Ｅ）は、４回目の仮停止があったときに、ガラス扉枠２に設けられた遊技盤６周辺の発光体と、天枠ランプ４０、左枠ランプ４１、右枠ランプ４２が赤色に点滅して擬似連予告（後擬似予告）が実行され、その後、５回目の変動表示が開始されていることを示している。
【０１６６】
このように、１回分の特別図柄の変動表示における４回の仮停止において、仮停止を重ねるごとに発光体の発光面積を大きくすることで、遊技者に対する確率変動大当り、確変昇格大当りまたは時短大当りへの期待感を高めることができる。
【０１６７】
なお、仮停止より前に実行される先擬似予告の演出内容である枠ランプ４０〜４２の発光態様を、仮停止したときにチャンス目が出現する再変動態様（例えば、後擬似予告と先擬似予告の両方を実行）のときと、出現しない再変動態様（例えば、先擬似予告のみを実行）のときとで、異なるように構成してもよい。ここで、枠ランプ４０〜４２の発光態様を異ならせる例としては、発光させる枠ランプの数を異ならせる、発光させる色を異ならせる、発光方法（点灯と点滅）を異ならせる、あるいは、点滅の時間間隔を異ならせる、などがある。すなわち、例えば、仮停止したときにチャンス目が出現する再変動態様のときには枠ランプ４０〜４２の全部を発光させ、仮停止したときにチャンス目が出現しない再変動態様のときには枠ランプの４０のみを発光させる。あるいは、仮停止したときにチャンス目が出現する再変動態様のときには赤色で発光させ、仮停止したときにチャンス目が出現しない再変動態様のときには白色で発光させる。または、仮停止したときにチャンス目が出現する再変動態様のときには発光体を点灯させ、仮停止したときにチャンス目が出現しない再変動態様のときには発光体を点滅させる。さらにまた、仮停止したときにチャンス目が出現する再変動態様のときには発光体の点滅時間を短くし、仮停止したときにチャンス目が出現しない再変動態様のときには発光体の点滅時間を長くする。
【０１６８】
このように、仮停止したときにチャンス目が出現する再変動態様のときと、仮停止したときにチャンス目が出現しない再変動態様が実行のときとで、発光体の発光態様を異ならせて先擬似予告の演出内容を異ならせることで、先擬似予告が実行された場合に、仮停止より前の枠ランプ４０〜４２の発光態様に遊技者を注目させて、一連の変動表示の過程全体での遊技者の注目度を高めることができ、遊技の興趣を向上させることができる。また、枠ランプ４０〜４２の発光態様の違いに応じて、再変動表示が実行されることへの期待感を遊技者に与えることができる。これにより、リーチ表示態様が出現することへの期待感や、確率変動大当り、確変昇格大当りまたは時短大当りとなることへの期待感を遊技者に与えることができる。
【０１６９】
次に、リーチ予告演出について説明する。リーチ予告演出は、飾り図柄の変動表示においてリーチ表示態様が出現する可能性があることを示す予告である。リーチ表示態様が出現する変動パターンでは、リーチ表示態様が出現する前の変動表示が行われている間にリーチ予告演出が行われ、リーチ表示態様が出現しない変動パターンでは、リーチ表示態様が出現する可能性が残されているうちの変動表示が行われている間にリーチ予告演出が行われる。擬似連の変動パターンでは、飾り図柄の変動開始から１回目の仮停止、仮停止から仮停止、仮停止から最終停止までの各変動表示の間で、それぞれリーチ予告演出が行われることがある。
【０１７０】
なお、リーチ予告演出は、リーチ表示態様が出現する可能性を示す予告ではあるが、リーチ表示態様が出現すれば確率変動大当たり、確変昇格大当たりまたは時短大当たりとなることがあるのに対して、リーチ表示態様が出現しなければ確率変動大当たり、確変昇格大当たり及び時短大当たりとなることはない。従って、リーチ予告演出は、確率変動大当たり、確変昇格大当たりまたは時短大当たりとなる可能性を示す演出であるともいうことができる。
【０１７１】
この実施の形態にかかるパチンコ遊技機１において実行されるリーチ予告演出には、様々な種類の演出があるが、その中には、第１段階から第３段階までのうちの何れかの段階まで演出が段階的に変化するステップアップ演出が含まれる。ステップアップ演出には、第１段階だけを実行して終了するもの（ステップアップ演出１）と、第１段階と第２段階を順に実行して終了するもの（ステップアップ演出２）と、第１段階から第３段階までを順次実行して終了するもの（ステップアップ演出３）とがある。ステップアップ演出３は、当該変動表示でリーチ表示態様が出現する場合にのみ実行される演出である。また、ステップアップ演出以外のリーチ予告演出として、演出Ａと演出Ｂとがある。
【０１７２】
図６は、擬似連の変動パターンにおける各変動表示において実行される予告演出を決定するための予告演出決定テーブルを示す図である。図は、擬似連Ｋ回（Ｋ＝１，２，３，４）のもののＬ回目（Ｌ＝１，２，３，４，５）の変動表示のそれぞれについて、飾り図柄が最終停止するまでにリーチ表示態様が出現する場合とリーチ表示態様が出現しない場合の、演出Ａ、演出Ｂ、ステップアップ演出１、ステップアップ演出２、ステップアップ演出３のそれぞれの選択確率を示す。
【０１７３】
なお、演出Ａと演出Ｂは、先擬似予告が実行される場合、当該先擬似予告が実行されている間において実行される。ステップアップ演出は、飾り図柄が変動表示されている間において実行され、ステップアップ演出３が選択された場合でも、飾り図柄が（仮）停止するまでに第３段階までを実行できるものとなっている（ステップアップ演出１、ステップアップ演出２は、より早く終了する）。
【０１７４】
図６から分かるように、リーチ予告演出として演出Ａ、演出Ｂ、ステップアップ演出１、ステップアップ演出２、ステップアップ演出３のそれぞれを選択する比率は、擬似連Ｋ回のもののＬ回目の変動表示におけるＫとＬの違いに応じて、また、飾り図柄が最終停止するまでにリーチ表示態様が出現するか否かによって異なっている。
【０１７５】
より詳細な場合について説明すると、演出Ｂが実行された後に再変動表示が行われる確率は、演出Ａが実行された場合に再変動表示が行われる確率よりも高くなるように、リーチ予告演出の選択確率が定められている。例えば、擬似連１回の２回目の変動表示と擬似連２回の２回目の変動表示でリーチ表示態様とならない場合を比べると、ｂｂ１／（ｂａ１＋ｂｂ１）＜ｄｂ１／（ｄａ１＋ｄｂ１）となっており、さらに変動表示が実行される擬似連２回の２回目の方が、演出Ｂが選択される確率が高い。
【０１７６】
また、演出Ｂが実行されてリーチ表示態様が出現する確率は、演出Ａが実行されてリーチ表示態様が出現する確率よりも高くなるように、リーチ予告演出の選択確率が定められている。例えば、擬似連１回の２回目の変動表示では、ｂａ２／（ｂａ１＋ｂａ２）＜ｂｂ２／（ｂｂ１＋ｂｂ２）となっている。変動表示の回数が多くなるほど確率変動大当たり、確変昇格大当たりまたは時短大当たりとなりやすく、リーチ表示態様しなければ確率変動大当たり、確変昇格大当たりまたは時短大当たりとはならないことから、演出Ｂが実行されて確率変動大当たり、確変昇格大当たりまたは時短大当たりとなる確率は、演出Ａが実行されて確率変動大当たり、確変昇格大当たりまたは時短大当たりとなる確率よりも高くなるということができる。
【０１７７】
また、ステップアップ演出３の選択確率は、擬似連Ｋ回の（Ｋ＋１）回目の変動表示においてリーチ表示態様が出現する場合の他は、０となっている。また、ステップアップ演出１の選択確率は、擬似連Ｋ回の（Ｋ＋１）回目の変動表示では、リーチ表示態様が出現するか否かに関わらず、全て０となっている。つまり、ステップアップ演出が第１段階だけで終了してしまった変動表示では、リーチ表示態様が出現することはない（但し、さらに後の変動表示でリーチ表示態様が出現することはある）代わりに、飾り図柄が仮停止した後に再度変動表示が実行されることとなる。
【０１７８】
以下、この実施の形態にかかるパチンコ遊技機１において遊技の進行のために行われる処理について説明する。パチンコ遊技機１における遊技の進行は、２ｍｓ毎に実行されるタイマ割り込み処理に従って実行される。なお、打球操作ハンドル５の操作に基づく遊技領域７への遊技球の発射だけは、２ｍｓ毎のタイマ割り込み処理とは独立して行われるものとなっている。
【０１７９】
図７は、ＣＰＵ５６が実行するメイン処理にて２ｍｓ毎に実行されるタイマ割込処理を示すフローチャートである。タイマ割込が発生すると、ＣＰＵ５６は、レジスタの退避処理（ステップＳ２１）を行った後、ステップＳ２２〜Ｓ３６の遊技制御処理を実行する。遊技制御処理において、ＣＰＵ５６は、まず、スイッチ回路３２を介して、ゲートスイッチ６１、始動口スイッチ６２ａ、６２ｂ、カウントスイッチ６３、入賞口スイッチ６４等のスイッチの検出信号を入力し、それらの状態判定するスイッチ処理を行う（ステップＳ２２）。
【０１８０】
次に、遊技制御に用いられる大当たり判定用の乱数、大当たり種別判定用乱数等の各判定用乱数を生成するための各カウンタのカウント値を更新する処理を行う（ステップＳ２３）。ＣＰＵ５６は、更に、初期値用乱数を生成するためのカウンタのカウント値を更新する処理（ステップＳ２４）及び表示用乱数を生成するためのカウンタのカウント値を更新する処理を行う（ステップＳ２５）。
【０１８１】
更に、ＣＰＵ５６は、特別図柄プロセス処理を行う（ステップＳ２６）。特別図柄プロセス処理では、遊技状態に応じて特別図柄表示器１０ａ、１０ｂ、可変表示装置９、特別可変入賞装置２０、等を所定の順序で制御するための特別図柄プロセスフラグに従って該当する処理が選び出されて実行される。そして、特別図柄プロセスフラグの値は、遊技状態に応じて各処理中に更新される。
【０１８２】
また、普通図柄プロセス処理を行う（ステップＳ２７）。普通図柄プロセス処理では、普通図柄表示器１２の表示状態を所定の順序で制御するための普通図柄プロセスフラグに従って該当する処理が選び出されて実行される。そして、普通図柄プロセスフラグの値は、遊技状態に応じて各処理中に更新される。普通図柄プロセス処理を実行することにより普通図柄表示器１２の表示制御および可変入賞装置１５の開閉制御が実行される。
【０１８３】
次いで、ＣＰＵ５６は、特別図柄プロセス処理でＲＡＭ５５の所定の領域に設定され、可変表示装置９において表示を行うための演出制御コマンド（変動パターンを示すコマンド、並びに大当たりとするか否か及び大当たり種別を示すコマンド）を演出制御基板８０に送出する特別図柄コマンド制御処理を行う（ステップＳ２８）。また、普通図柄プロセス処理でＲＡＭ５５の所定の領域に設定された普通図柄に関する演出制御コマンドを演出制御コマンドを送出する普通図柄コマンド制御処理を行う（ステップＳ２９）。
【０１８４】
更に、ＣＰＵ５６は、例えばホール管理用コンピュータに供給される大当たり情報、始動情報、確率変動情報などのデータを出力する情報出力処理を行う（ステップＳ３０）。
【０１８５】
また、ＣＰＵ５６は、始動口スイッチ６２ａ、６２ｂ、カウントスイッチ６３、入賞口スイッチ６４等の検出信号に基づく賞球個数の設定などを行う賞球処理を実行する（ステップＳ３１）。具体的には、始動口スイッチ６２ａ、６２ｂ、カウントスイッチ６３、入賞口スイッチ６４等の何れかがオンしたことに基づく入賞検出に応じて、払出制御基板３６に賞球個数を示す払出制御コマンドを出力する。払出制御基板３６に搭載されている払出制御用ＣＰＵは、賞球個数を示す払出制御コマンドに応じて球払出装置４４を駆動する。
【０１８６】
そして、ＣＰＵ５６は、保留記憶数の増減をチェックする記憶処理を実行する（ステップＳ３２）。また、遊技機の制御状態を遊技機外部で確認できるようにするための試験信号を出力する処理である試験端子処理を実行する（ステップＳ３３）。更に、所定の条件が成立したときにソレノイド回路３３に駆動指令を行う（ステップＳ３４）。可変入賞装置１５、特別可変入賞装置２０、を開状態または閉状態としたり、大入賞口２１内の遊技球通路を切り替えたりするために、ソレノイド回路３３は、駆動指令に応じてソレノイド７１〜７３を駆動する。その後、レジスタの内容を復帰させ（ステップＳ３５）、割込許可状態に設定する（ステップＳ３６）。
【０１８７】
次に、ステップＳ２６の特別図柄プロセス処理について説明する。特別図柄プロセス処理では、ＣＰＵ５６は、まず、遊技盤６に設けられている始動入賞口１４ａ、１４ｂに遊技球が入賞したことを検出するための始動口スイッチ６２ａ、６２ｂがオンしているかどうか、すなわち遊技球が始動入賞口１４ａ、１４ｂに入賞する始動入賞が発生しているかどうかを判定し、始動入賞が発生していたら始動口スイッチ通過処理を行う。その後、特別図柄プロセスフラグの状態に応じて、次に説明する特別図柄通常処理、変動パターン設定処理、特別図柄変動処理、特別図柄停止処理、大入賞口開放前処理、大入賞口開放中処理、大当たり終了処理の何れかの処理を行う。
【０１８８】
特別図柄通常処理：特別図柄の可変表示を開始できる状態になるのを待つ。ＣＰＵ５６は、特別図柄の可変表示が開始できる状態（特別図柄表示器１０ａ、１０ｂの何れにおいても特図ゲームの実行が終了している状態）になると、保留記憶バッファに記憶される数値データの記憶数（保留記憶数）を始動入賞口１４ａ、１４ｂへの始動入賞について順に確認する。
【０１８９】
始動入賞口１４ａへの始動入賞について保留記憶カウンタのカウント値が０でなければ、遊技状態に応じて図３（ａ）の大当たり判定用テーブルを参照し、大当たり判定用乱数の値に基づいて大当たりとするか否か（特定表示結果とするか否か）を決定する。大当たりとする場合には、図３（ｂ）の大当たり種別判定用テーブルを参照し、大当たり種別判定用乱数の値に基づいて大当たりの種別も決定する。
【０１９０】
始動入賞口１４ａへの始動入賞について保留記憶カウンタのカウント値が０であるが、始動入賞口１４ｂへの始動入賞について保留記憶カウンタのカウント値が０でなければ、始動入賞口１４ａへの始動入賞の場合と同様に、遊技状態に応じて図３（ａ）の大当たり判定用テーブルを参照し、大当たり判定用乱数の値に基づいて大当たりとするか否か（特定表示結果とするか否か）を決定する。始動入賞口１４ｂへの始動入賞について大当たりとする場合には、図３（ｃ）の大当たり種別判定用テーブルを参照し、大当たり種別判定用乱数の値に基づいて大当たりの種別も決定する。
【０１９１】
変動パターン設定処理：大当たり抽選を行った特別図柄表示器１０ａ、１０ｂにおける特別図柄の変動パターンを、始動入賞発生時に抽出した変動パターン判定用乱数の値に応じて予め定められた複数種類の変動パターンの中から選択する。決定された変動パターンに基づいて、特別図柄の変動時間を特別図柄プロセスタイマ（ダウンタイマにより構成される）にセットした後、特別図柄プロセスタイマをスタートさせる。このとき、特別図柄表示器１０ａ、１０ｂの何れかに特別図柄の変動表示開始を指示する信号を出力するとともに、選択した変動パターンを示すコマンドと大当たりとするか否か及び大当たり種別を示すコマンドとを、直後の特別図柄コマンド制御処理（ステップＳ２８）で演出制御基板８０に対して送信される状態に設定する。なお、変動パターン並びに大当たりとするか否か及び大当たり種別が同じであれば、特別図柄表示器１０ａ、１０ｂの何れで特別図柄の変動表示が行われる場合でも、演出制御基板８０に送信されるコマンドに違いはない。
【０１９２】
特別図柄変動処理：変動パターン設定処理で選択された変動パターンに応じて変動時間のセットされた特別図柄プロセスタイマの計時時間を監視し、当該変動時間が経過して特別図柄プロセスタイマがタイムアウトすると、次に特別図柄停止処理に移行させるよう制御を行う。
【０１９３】
特別図柄停止処理：特別図柄表示器１０ａ、１０ｂの何れかにて可変表示する特別図柄の可変表示を停止するとともに、特別図柄の停止を示す信号を特別図柄表示器１０ａ、１０ｂの何れかに出力される状態に設定するとともに、図柄の停止を示すコマンドを、直後の特別図柄コマンド制御処理（ステップＳ２８）で演出制御基板８０に送信される状態に設定する。なお、図柄の停止を示すコマンドは、特別図柄表示器１０ａ、１０ｂの何れで特別図柄の変動表示が行われる場合でも違いはない。
【０１９４】
大入賞口開放前処理：大当たり後に最初にこの処理が行われるときには大入賞口２１のラウンド数を設定した後、大入賞口２１を開放する制御を開始する。具体的には、ソレノイド７２を駆動して大入賞口２１を開状態として特別可変入賞装置２０を開放状態とする。また、大入賞口２１の開放されたラウンド数をカウントすると共に、開放タイマによって大入賞口開放中処理の実行時間を設定する。
【０１９５】
大入賞口開放中処理：第１大当たり遊技状態中および第２大当たり遊技状態中のラウンド表示のためのコマンドを、直後の特別図柄コマンド制御処理（ステップＳ２８）で演出制御基板８０に送信される状態に設定する処理や、大入賞口２１の閉成条件の成立を確認する処理等を行う。
【０１９６】
大当たり終了処理：第１大当たり遊技状態または第２大当たり遊技状態が終了したことを示すコマンドを、直後の特別図柄コマンド制御処理（ステップＳ２８）で演出制御基板８０に送信される状態に設定する。
【０１９７】
一方、演出制御基板８０などのサブ側の各種基板においては、主基板３１の基本回路５３から送信されたコマンドに基づいて、特別図柄の変動表示に合わせて可変表示装置９において飾り図柄や飾り図柄を変動表示させたり、第１大当たり遊技状態に制御されているときに大当たりラウンド演出を実行する処理を行う。図８は、演出制御基板８０の表示制御用ＣＰＵが実行するメイン処理を示すフローチャートである。
【０１９８】
このメイン処理では、まず、演出制御基板８０に搭載された表示制御用マイクロコンピュータに含まれるＲＡＭのうちで必要な領域を初期化する初期化処理を行う（ステップＳ７０１）。次に、所定時間（例えば、２ｍｓ）毎に実行されるタイマ割り込み処理によってセットされるタイマ割り込みフラグの状態が１となっているかどうかを判定し（ステップＳ７０２）、タイマ割り込みフラグの状態が１となるまでステップＳ７０２の処理を繰り返して行う。
【０１９９】
タイマ割り込みフラグの状態が１となっている後、まず、このタイマ割り込みフラグを０にクリアし（ステップＳ７０３）、主基板３１の基本回路５３から送信されたコマンドを受信したかどうかをチェックし、コマンドを受信している場合には、その内容を解析するコマンド解析処理を実行する（ステップＳ７０４）。
【０２００】
次に、コマンド解析処理におけるコマンドの解析結果に基づいて、可変表示装置９において飾り図柄を変動表示させたり、大当たりラウンド演出を実行させたりする演出制御プロセス処理を実行する（ステップＳ７０５）。演出制御プロセス処理では、擬似連予告や予告演出を実行する処理も行う。例えば、擬似連の変動パターンで飾り図柄の（再）変動表示が開始するタイミングで擬似連予告の決定を行い、その決定に従って、飾り図柄が停止する以前の期間、または飾り図柄が停止したときにおいて擬似連予告を行うものである。
【０２０１】
さらに、予告種別判定用乱数、予告態様判定用乱数、ラウンド演出種別判定用乱数、演出パターン判定用乱数などの乱数を更新する乱数更新処理を実行して（ステップＳ７０６）、ステップＳ７０２の処理に戻る。
【０２０２】
次に、この実施の形態にかかるパチンコ遊技機１における先擬似予告の実行例について説明する。図９は、先擬似予告の実行例を示すタイミングチャートである。ここでは擬似連２回（２回の仮停止を挟んで、合計３回の変動表示が実行される）が選択された場合の例を示す。また、実行タイミングが早い先擬似予告は、飾り図柄の変動表示が開始するのと同時に開始し、実行タイミングが遅い先擬似予告は、飾り図柄の変動表示が開始してから一定期間経過してから開始されるものとする。
【０２０３】
図９（ａ）では、比較例として、保留記憶に基づいてハズレ、リーチなし、擬似連なしの変動表示が３回続けて実行される場合を示す（なお、説明を簡単にするため、各回の変動表示の時間は、擬似連２回で実行される変動開始から１回目の仮停止まで、１回目の仮停止から２回目の仮停止までの変動表示の時間とそれぞれ同じものとする）。図９（ｂ）では、２回目の変動表示において先擬似予告が早いタイミングで実行される場合の例を示す。図９（ｃ）では、２回目の変動表示において先擬似予告が遅いタイミングで実行される場合の例を示す。図９（ｂ）、（ｃ）の例では、飾り図柄の変動表示が最初に開始されるときに擬似連予告として先擬似予告を実行することが決定されることとなる。
【０２０４】
まず、図９（ａ）の例においては、タイミングｔ１において１番目の始動入賞に基づく擬似連なしの変動パターンにおける飾り図柄の変動表示が開始される。ここで、先擬似予告の実行が決定されることはなく、先擬似予告が実行されることもない。実行タイミングが遅い先擬似予告に決定されていたなら先擬似予告が実行されることとなるタイミングｔ２においても先擬似予告が実行されることはない。
【０２０５】
１番目の始動入賞に基づく飾り図柄の変動表示がタイミングｔ３で停止した後、そこから一定期間を経過したタイミングｔ４において保留記憶によって２番目の始動入賞に基づく擬似連なしの変動パターンにおける飾り図柄の変動表示が開始される。ここでも、先擬似予告の実行が決定されることはなく、先擬似予告が実行されることもない。実行タイミングが遅い先擬似予告に決定されていたなら先擬似予告が実行されることとなるタイミングｔ５においても先擬似予告が実行されることはない。
【０２０６】
２番目の始動入賞に基づく飾り図柄の変動表示がタイミングｔ６で停止した後、そこから一定期間を経過したタイミングｔ７において保留記憶によって３番目の始動入賞に基づく擬似連なしの変動パターンにおける飾り図柄の変動表示が開始される。ここでも、先擬似予告の実行が決定されることはなく、先擬似予告が実行されることもない。実行タイミングが遅い先擬似予告に決定されていたなら先擬似予告が実行されることとなるタイミングｔ８においても先擬似予告が実行されることはない。
【０２０７】
このように擬似連なしの変動表示が保留記憶に基づいて続々と実行されるような場合（大当たり確率、変動パターンの種別の選択確率から、このようなケースは比較的多く生じる）には、先擬似予告が実行されることはない。飾り図柄の変動表示の停止は仮停止ということではないので、そこでチャンス目が表示されることもない。従って、遊技者が擬似連の再変動表示が継続することを期待できるような場面はない。
【０２０８】
また、図９（ｂ）の例においては、タイミングｔ１において擬似連２回の変動パターンにおける飾り図柄の変動表示が開始される。ここで、先擬似予告を実行することが決定されることによって、さらに１回目の仮停止までの変動表示で先擬似予告の態様が決定されるが、擬似連２回のうちの１回目の変動表示であるので、先擬似予告の態様として実行なしが決定されることもある。この場合、タイミングｔ１において先擬似予告は実行されず、タイミングｔ２においても先擬似予告は実行されない。遊技者にとっては、出現頻度が多い擬似連なしの変動パターンで飾り図柄の変動表示が実行されたのか分からず、飾り図柄が仮停止するまでのタイミングｔ３で再変動表示が実行されることを期待できるようにはならない。
【０２０９】
タイミングｔ３において飾り図柄が１回目の仮停止をすることとなるが、後擬似予告を実行することが決定されていないので、仮停止時の飾り図柄の表示態様としてチャンス目は表示されない。その後、タイミングｔ４において擬似連２回のうちで飾り図柄が１回目の仮停止をしてからの変動表示（２回目の変動表示）が開始されることとなる。ここで、２回目の変動表示の際の先擬似予告の態様と実行タイミングとが決定されるが、実行タイミングが早いものに決定されることによって、タイミングｔ４で先擬似予告が実行される。タイミングｔ４での先擬似予告によって、遊技者は、２回目の仮停止後に再度変動表示が実行されること（さらには、リーチ表示態様が出現すること、大当たりとなること）の期待感を高められる。また、再変動表示がありの場合の選択比率で先擬似予告の態様が選択されるので、その先擬似予告の態様によっても期待感を高められる場合が多い。
【０２１０】
タイミングｔ６において飾り図柄が２回目の仮停止をすることとなるが、ここでもチャンス目は表示されない。その後、タイミングｔ７において擬似連２回のうちで飾り図柄が２回目の仮停止をしてからの変動表示（３回目の変動表示）が開始されることとなる。ここで、３回目の変動表示の際の先擬似予告の態様と実行タイミングとが決定されるが、実行タイミングが早いものに決定されることによって、タイミングｔ７で先擬似予告が実行される。もっとも、ここでは再変動表示がなしの場合の選択比率で先擬似予告の態様が選択されるので、先擬似予告の態様によって期待感を高める度合いは、２回目の変動表示の際の先擬似予告ほどにはならない。
【０２１１】
また、図９（ｃ）の例においては、タイミングｔ３までは、図９（ｂ）の例と同様に飾り図柄の変動表示が実行されるものとする。その後、タイミングｔ４において擬似連２回のうちで飾り図柄が１回目の仮停止をしてからの変動表示（２回目の変動表示）が開始されることとなる。ここで、２回目の変動表示の際の先擬似予告の態様と実行タイミングとが決定されるが、実行タイミングが遅いものに決定されることによって、タイミングｔ４では先擬似予告が実行されないものの、これよりも遅れてタイミングｔ５で先擬似予告が実行される。
【０２１２】
タイミングｔ４で先擬似予告が実行されてなかったので、この時点において再変動表示が実行されることに対して遊技者があまり期待できない。しかし、タイミングｔ５で遅れて先擬似予告が実行されると、遊技者は、２回目の仮停止後に再度変動表示が実行されること（さらには、リーチ表示態様が出現すること、大当たりとなること）の期待感を高められる。しかも、遅いタイミングの先擬似予告の方が再変動表示が実行される可能性は高いので、期待感薄だった所からより大きな期待感が遊技者に与えられる。タイミングｔ６において飾り図柄が２回目の仮停止をすることとなるが、ここでもチャンス目は表示されない。その後、タイミングｔ７よりも後には、例えば、図９（ｂ）の場合と同様に擬似連２回における３回目の変動表示が行われるようになる。
【０２１３】
以上説明したように、この実施の形態にかかるパチンコ遊技機１では、始動入賞口１４ａ、１４ｂへの入賞により大当たり抽選及び大当たり種別抽選を行い、特別図柄表示器１０ａ、１０ｂにおいて特別図柄を変動表示させ、表示結果を導出させることにより抽選の結果を遊技者に報知するものとしている。また、特別図柄の変動表示に合わせて可変表示装置９において飾り図柄を変動表示させ、その表示結果によっても抽選の結果を遊技者に報知するものとしている。
【０２１４】
ここで、特別図柄及び飾り図柄（特に飾り図柄）の変動パターンには、１回分の特別図柄の変動表示（すなわち、１回の始動入賞）に対して、飾り図柄表示領域９ａ〜９ｃの全てにおいて飾り図柄の変動表示を仮停止させた後に、全ての飾り図柄を再度変動表示させる再変動表示を１回または複数回実行する擬似連の変動パターンが含まれている。擬似連には、再変動表示の回数に応じて、擬似連１回、擬似連２回、擬似連３回及び擬似連４回の種別がある。
【０２１５】
特別図柄及び飾り図柄の変動表示の結果がハズレとなるときも、確率変動大当たり、確変昇格大当たりまたは時短大当たりとなるときも、変動パターンの種別として擬似連が選択され得るが、擬似連における再変動表示の回数が多いものほど、確率変動大当たり、確変昇格大当たりまたは時短大当たりとなるときに選択されやすいものとなっている。さらに、変動パターンの種別として擬似連４回は、確率変動大当たり、確変昇格大当たりまたは時短大当たりとなるときにしか選択されない。
【０２１６】
また、確率変動大当たり、確変昇格大当たりまたは時短大当たりとなるときには、その前提として必ずリーチ表示態様が出現することになるため、擬似連における再変動表示の回数が多いものほど、リーチ表示態様が出現するときに選択されやすいものとなっている。擬似連の回数が多いものほど、確率変動大当たり、確変昇格大当たりまたは時短大当たりとなるときに選択されやすいので、実行された再変動表示の回数が多くなるにつれて、遊技者の期待感も高まるものとなる。
【０２１７】
特に擬似連４回は、確率変動大当たり、確変昇格大当たりまたは時短大当たりとなることが決定されているときにしか選択されない。つまり、４回目の再変動表示（５回目の変動表示）が行われたなら、その時点で確率変動大当たり、確変昇格大当たりまたは時短大当たりとなることが確定的に分かるので、このため、擬似連における再変動表示の回数が積み上がって４回目の再変動表示に近づけば近づくほど、確率変動大当たり、確変昇格大当たりまたは時短大当たりとなる期待感が高まることとなる。これにより、一連の変動表示の過程全体での遊技者の注目度が殊更に高まり、さらに遊技の興趣を向上させることができる。
【０２１８】
ところで、変動パターンの種別として擬似連１回、擬似連２回、擬似連３回または擬似連４回が選択されたときにおいて、当該変動パターンの中で全ての飾り図柄を仮停止した後に全ての飾り図柄を再度変動表示させる再変動表示を実行させることを報知する擬似連予告が行われる場合がある。擬似連予告が実行されることにより、遊技者は、飾り図柄の変動表示の過程で再変動表示が行われることを期待できるようになり、また、再変動表示が行われることを期待できることでリーチ表示態様が出現することも、確率変動大当たり、確変昇格大当たりまたは時短大当たりとなることを期待できるようになる。
【０２１９】
また、擬似連予告には、擬似連の変動パターンで飾り図柄が仮停止するよりも前の変動表示中において、装飾ランプ２５ａ〜２５ｃや枠ランプ４０〜４２を点灯させたり、役物２６を駆動することによって実行される先擬似予告と、擬似連の変動パターンで飾り図柄が仮停止したときにチャンス目を表示することにより、仮停止している全ての図柄が再度変動表示した後に、さらに飾り図柄の仮停止及び変動表示を含む再変動表示が実行されることを予告する後擬似予告とがある。
【０２２０】
変動パターンの種別として擬似連１回、擬似連２回、擬似連３回または擬似連４回が選択されたときに実行すべき擬似連予告について、飾り図柄の最初の変動表示を開始するときにおいて、擬似連予告なし、先擬似予告を実行、後擬似予告を実行、または先擬似予告と後擬似予告の両方を実行の何れかを決定するものとしている。ここで、擬似連予告なし、後擬似予告を実行、先擬似予告を実行、両方を実行の何れを選択するかの選択確率は、確率変動大当たり、確変昇格大当たりまたは時短大当たりの何れかが決定されているか否かに応じて異なるものとなっている。
【０２２１】
このため、飾り図柄が仮停止するよりも前に先擬似予告が行われるか、飾り図柄が仮停止したときに後擬似予告が行われる（チャンス目が表示される）か、或いは先擬似予告と後擬似予告の両方が行われるか、さらには先擬似予告と後擬似予告の何れも行われないかに応じて、確率変動大当たり、確変昇格大当たりまたは時短大当たりとなることを期待できるものとなり、また、これから、リーチ表示態様が出現することも、再変動表示が実行されることも期待できるものとなる。
【０２２２】
また、飾り図柄が仮停止するよりも前、飾り図柄が仮停止したときの何れで再変動表示が行われることが予告されるか、或いはその両方で再変動表示が行われることが予告されるか、さらにはその何れでも再変動表示が行われることが予告されないかということに遊技者の関心が向けられることとなり、飾り図柄の一連の変動表示の過程全体に遊技者の注目度を高めさせることができ、遊技の興趣を向上させることができる。
【０２２３】
また、擬似連予告なし、先擬似予告を実行、後擬似予告を実行、または先擬似予告と後擬似予告の両方を実行の何れかの決定において、少なくとも後擬似予告を実行すること（後擬似予告を実行と、先擬似予告と後擬似予告の両方を実行）を決定する確率は、確率変動大当たり、確変昇格大当たりまたは時短大当たりの何れかが決定されているか否かに応じて異なるものとなっている。つまり、仮停止時にチャンス目が表示されず大当たりともならない確率に対するチャンス目が表示されずに大当たりとなる確率の比と、仮停止時にチャンス目が表示されても大当たりとならない確率に対するチャンス目が表示されて大当たりとなる確率の比とは異なっている。
【０２２４】
これにより、後擬似予告に注目し、飾り図柄が仮停止されたときにおいてチャンス目が導出されるか否かに応じて、確率変動大当たり、確変昇格大当たりまたは時短大当たりとなることを遊技者に期待させることができるものとなり、遊技の興趣を向上させることができる。また、確率変動大当たり、確変昇格大当たりまたは時短大当たりとなることを遊技者に期待させることは、リーチ表示態様が出現することも、再変動表示が実行されることも期待させるものとなる。
【０２２５】
また、飾り図柄が仮停止されたときにおいてチャンス目が表示されなかったからと言って必ずしも確率変動大当たり、確変昇格大当たりまたは時短大当たりとならないというものではなく、飾り図柄が仮停止されたときにおいてチャンス目が表示されたからと言って必ずしも確率変動大当たり、可変昇格大当たりまたは時短大当たりになるというものでもない。これにより、飾り図柄が仮停止されたときにチャンス目が表示されることで遊技者に一定の期待感を与えるものの、一連の変動表示の過程全体に対する遊技者の注目度を薄れさせるものではなく、遊技の興趣を向上させることができる。
【０２２６】
また、後擬似予告が実行される場合に停止され得るチャンス目には、チャンス目Ａとチャンス目Ｂの２種類があり、その何れを停止させるかの選択比率は、次の仮停止の後に再度変動表示が行われるか否かに応じて異なっている。このため、飾り図柄が仮停止されたときに単にチャンス目が表示されるかどうかだけではなく、表示されるチャンス目の種類にも遊技者を注目させることができる。また、仮停止されたときに表示されるチャンス目の種類に応じて、再変動表示が実行されることの期待感を遊技者に与えることができ、これによりリーチ表示態様が出現することに対する期待感も、確率変動大当たり、確変昇格大当たりまたは時短大当たりとなることに対する期待感も、遊技者に当たることができるようになる。
【０２２７】
また、擬似連予告なし、先擬似予告を実行、後擬似予告を実行、または先擬似予告と後擬似予告の両方を実行の何れかの決定において、少なくとも先擬似予告を実行すること（先擬似予告を実行と、先擬似予告と後擬似予告の両方を実行）を決定する確率も、確率変動大当たり、確変昇格大当たりまたは時短大当たりの何れかが決定されているか否かに応じて異なるものとなっている。これにより、飾り図柄が仮停止される前に先擬似予告が実行されるか否かに応じて、確率変動大当たり、確変昇格大当たりまたは時短大当たりとなることを遊技者に期待させることができるものとなり、遊技の興趣を向上させることができる。また、確率変動大当たり、確変昇格大当たりまたは時短大当たりとなることを遊技者に期待させることは、リーチ表示態様が出現することも、再変動表示が実行されることも期待させるものとなる。
【０２２８】
また、先擬似予告は、装飾ランプ２５ａ〜２５ｃや枠ランプ４０〜４２の点灯や役物２６の駆動によって行われるものであるが、その実行態様は、擬似連の中で実行される変動表示毎に複数種類の態様のうちから選択されるものとなっている。そして、先擬似予告の態様の選択比率は、さらに再度変動表示が行われるか否かに応じて異なっている。このため、先擬似予告が実行された場合に、その態様にも遊技者を注目させることができる。また、実行された先擬似予告の態様の違いに応じて、再変動表示が実行されることの期待感を遊技者に与えることができ、これによりリーチ表示態様が出現することに対する期待感も、確率変動大当たり、確変昇格大当たりまたは時短大当たりとなることに対する期待感も、遊技者に与えることができるようになる。
【０２２９】
また、先擬似予告の態様には、装飾ランプ２５ａ〜２５ｃや枠ランプ４０〜４２の点灯のみによる態様と、役物２６の駆動のみによる態様と、装飾ランプ２５ａ〜２５ｃや枠ランプ４０〜４２の点灯と役物２６の駆動の複合による態様とが含まれている。先擬似予告の態様の選択比率は、さらに再度変動表示が行われるか否かに応じて異なっているということは、先擬似予告の実行に用いる演出手段（装飾ランプ２５ａ〜２５ｃや枠ランプ４０〜４２、役物２６）を選択する比率も、さらに再変動表示が行われるか否かに応じて異なっているということである。このため、遊技者は、先擬似予告が実行される演出手段の違いに応じて、再変動表示が実行されることを期待できるようになり、再変動表示が実行されることを期待できることで、リーチ表示態様が出現することも、確率変動大当たり、確変昇格大当たりまたは時短大当たりとなることも、期待することができるようになる。
【０２３０】
また、先擬似予告の態様のうちで少なくとも装飾ランプ２５ａ〜２５ｃや枠ランプ４０〜４２の点灯が行われるものでは、点灯される装飾ランプ２５ａ〜２５ｃや枠ランプ４０〜４２の種類によって、再変動表示の回数が遊技者に報知されるものとなる。もっとも、装飾ランプ２５ａ〜２５ｃや枠ランプ４０〜４２の点灯によって報知される再変動表示の回数が実際の回数とは異なるものとなる態様もあるが、実際の回数とは異なるものとなる態様の選択比率は、さらに再変動表示が行われるか否かに応じて異なっている。このため、遊技者は、装飾ランプ２５ａ〜２５ｃや枠ランプ４０〜４２の点灯で報知された再変動表示の回数が実際の回数と同じか否かに応じて、再変動表示が実行されることを期待できるようになり、再変動表示が実行されることを期待できることで、リーチ表示態様が出現することも、確率変動大当たり、確変昇格大当たりまたは時短大当たりとなることも、期待することができるようになる。
【０２３１】
また、先擬似予告の態様は、擬似連の中で実行される変動表示毎に複数種類の態様のうちから選択されるものとなっているが、飾り図柄の変動開始から最初の仮停止までの変動表示においては、先擬似予告の態様として実行なしが選択される場合がある。もっとも、最初の仮停止までの変動表示で先擬似予告が行われなくても、擬似連の種別に含まれる変動パターンで飾り図柄が変動表示されているのであれば、飾り図柄が仮停止された後に再度変動表示が行われる再変動表示が行われるものとなる。この場合、後擬似予告のみを実行が選択されているなら、仮停止時にチャンス目も表示されない。
【０２３２】
このため、先擬似予告が実行されずに（さらに後擬似予告も実行されずに）、擬似連の変動パターンではないと思っていた遊技者に対して、そこから飾り図柄の再変動表示が行われることで意外性を与えることができ、遊技の興趣を向上させることができる。また、最初の仮停止までの先擬似予告が実行されないことがあることから、選択されていた変動パターンが擬似連なしの場合であっても、飾り図柄の変動表示の結果が確定するまで依然として再変動表示が行われることを遊技者に期待させることができ、遊技の興趣を向上させることができる。さらに、選択された変動パターンの種別が擬似連なしであるか擬似連であるかに関わらず、飾り図柄の変動表示が開始された後に初めて（仮）停止がされたときに再度飾り図柄の変動表示がされるかどうかにまで遊技者の関心が向けられることとなり、一連の変動表示の過程全体での遊技者の注目度が高まり、遊技の興趣を向上させることができる。
【０２３３】
また、先擬似予告には、その実行タイミングが早いもの（例えば、飾り図柄の変動表示（或いは仮停止後の変動表示の開始）が開始された直後に開始されるもの）と、その実行タイミングが遅いもの（例えば、飾り図柄の変動表示が開始されてから一定期間が経過した後に開始されるもの）とがある。このため、遊技者が先擬似予告が実行されるかどうかに注目する期間の幅が広くなり、一連の変動表示の過程全体での遊技者の注目度が高まり、遊技の興趣を向上させることができる。
【０２３４】
ここで、先擬似予告の実行タイミングの選択比率は、さらに再度変動表示が行われるか否かに応じて異なっている。このため、先擬似予告が実行開始されるタイミングにも遊技者を注目させることができる。また、先擬似予告の実行タイミングの違いに応じて、再変動表示が実行されることの期待感を遊技者に与えることができ、これによりリーチ表示態様が出現することに対する期待感も、確率変動大当たり、確変昇格大当たりまたは時短大当たりとなることに対する期待感も、遊技者に当たることができるようになる。
【０２３５】
また、実行タイミングが遅い先擬似予告の選択比率は、実行タイミングが早い先擬似予告の選択比率よりも低くなっている。これにより、早いタイミングで先擬似予告が行われなかった場合、擬似連における再変動表示が継続することをあまり期待できなくなった遊技者に意外性を与えることができる。しかも、実行タイミングが遅い先擬似予告が選択される比率は、再変動表示が継続するときの方がいくらかでも高い。このため、一旦期待感を喪失しかけていた遊技者に、早いタイミングで先擬似予告を行ったときよりも大きな期待感を与えることができ、その期待感の落差によって遊技の興趣を向上させることができる。
【０２３６】
また、始動入賞口１４ａ、１４ｂへの入賞に基づく大当たり抽選に当選したときには、その大当たりの種別を決定する大当たり種別抽選が行われるが、ここで決定され得る大当たりの種別としては、確率変動大当たり、確変昇格大当たり及び時短大当たりの他に、突確大当たりがある。突確大当たりは、遊技者に気づかれないこともあるくらい僅かに大入賞口２１を開放するだけで確率変動状態に移行させる遊技状態であるが、このときに選択され得る突然確変１、突然確変２と変動パターンは、飾り図柄の変動表示だけを考えると、ハズレでリーチなし、擬似連なしのときに選択され得る通常変動１、通常変動２の変動パターンと変わりがない。
【０２３７】
このように大当たり種別抽選の結果が突確大当たりとなったときにおいて突然確変１または突然確変２の変動パターンで飾り図柄が変動表示されているときにおいて、先擬似予告と同じ態様の予告演出が実行されることがある。先擬似予告と同じ態様の予告演出であれば、遊技者は、これを先擬似予告と考えるのが普通であり、飾り図柄が仮停止した後に再度変動表示が行われるものとなることを期待することになる。もっとも、この予告演出は、先擬似予告と同じ態様というだけで先擬似予告ではなく、飾り図柄はそのまま停止して確率変動状態に移行されるものとなる。このように先擬似予告と同じ態様の予告演出で遊技者に再変動表示を期待させながら、再変動表示がされずに確率変動状態に制御されるという意外性を遊技者に与えることができ、遊技の興趣を向上させることができる。
【０２３８】
また、大当たり抽選は、始動入賞口１４ａ、１４ｂの入賞に基づいて行われるが、大当たり抽選の当選確率自体は、何れでも変わりがない。一方、大当たり抽選に当選したときの大当たり種別抽選における大当たりの種別の選択割合は、始動入賞口１４ａの入賞すなわち特別図柄表示器１０ａで特別図柄の変動表示を行うか、始動入賞口１４ｂの入賞すなわち特別図柄表示器１０ｂで特別図柄の変動表示を行うかによって異なっている。特に大当たりの種別として突確大当たりを選択する確率は、特別図柄表示器１０ａにおいて特別図柄の変動表示を行う場合には１／１０であるのに対して、特別図柄表示器１０ｂにおいて特別図柄の変動表示を行う場合には２／１０である。
【０２３９】
つまり、擬似連の変動パターンを選択し得るハズレと、確率変動大当たり、確変昇格大当たりまたは時短大当たり（この段落において単に「大当たり」）の比率は、特別図柄表示器１０ａで特別図柄の変動表示を行う場合と、特別図柄表示器１０ｂで特別図柄の変動表示を行う場合とで異なっている。これにより、同じ回数の擬似連で飾り図柄が変動表示される場合でも、大当たりとなる確率は、特別図柄表示器１０ａで特別図柄が変動表示される場合と特別図柄表示器１０ｂで特別図柄が変動表示される場合とで異なっている。
【０２４０】
このため、可変表示装置９において実行される飾り図柄の変動表示だけではなく、特別図柄表示器１０ａ、１０ｂの何れで特別図柄の変動表示が行われているか、すなわち始動入賞口１４ａ、１４ｂの何れの入賞に基づいて変動表示が行われているかにまで遊技者の関心を集めることができ、さらに遊技の興趣を向上させることができる。また、始動入賞口１４ａ、１４ｂの何れに遊技球が入賞し、特別図柄表示器１０ａ、１０ｂの何れで特別図柄の変動表示が行われるかにまで遊技者を注目させることができるものとなる。
【０２４１】
また、大当たり抽選及び大当たり種別抽選の結果に応じて、特別図柄及び飾り図柄の変動パターンが選択されることとなるが、大当たり抽選の結果がハズレである場合において変動パターンを選択する場合、まず、第１種別としてリーチなし／リーチありを決定し、第２種別として擬似連なし、擬似連１回、擬似連２回または擬似連３回を決定する。その上で、詳細な変動パターンの種類を決定するものとしている。一方、確率変動大当たり、確変昇格大当たりまたは時短大当たりでは必ずリーチ表示態様が出現し、突確大当たりでは必ずリーチ表示態様が出現しないので、種別として擬似連なし、擬似連１回、擬似連２回、擬似連３回または擬似連４回だけを決定してから、詳細な変動パターンの種類を決定するものとしている。
【０２４２】
このようにハズレであれば第１種別としてリーチなし／ありを決定してから擬似連なし等の種別を決定し、大当たりであればそのまま擬似連なし等の種別を決定するという過程を経て変動パターンを選択するものとすることで、開発時においてリーチ表示態様が出現する各変動パターンのうちで大当たりとなる確率の振り分けを容易に行うことができる。また、この振り分けを容易に行えることから、擬似連の回数毎にもリーチ表示態様が出現する期待度や、確率変動大当たり、確変昇格大当たりまたは時短大当たりとなる期待度の調整を容易に行うことができるようになる。
【０２４３】
さらに、ハズレで第１種別としてリーチなしを選択した場合に選択される第２種別には、擬似連なしだけではなく、擬似連１回、擬似連２回、擬似連３回が含まれている。擬似連の回数としての最大値は４回である。擬似連であっても擬似連予告が行われないこともある。このため、リーチ表示態様が出現することなく全ての飾り図柄が停止（仮停止を含む）しても、その結果が確定するまではさらに変動表示が行われることになるかを期待することができるようになる。
【０２４４】
また、この実施の形態にかかるパチンコ遊技機１において実行される予告演出には、飾り図柄の再変動表示が行われることを予告する擬似連予告の他に、飾り図柄の変動表示が終了するまでにリーチ表示態様が出現することを予告するリーチ予告演出がある。擬似連の変動パターンでは、リーチ予告演出のうちで演出Ａと演出Ｂは、その変動表示毎に先擬似予告が実行される期間（実際には先擬似予告が実行されていないこともある）において実行されることとなっている。
【０２４５】
ここで、リーチ予告演出には、演出Ａ、演出Ｂ、ステップアップ演出１、ステップアップ演出２、ステップアップ演出３という種類のものがあるが、擬似連で飾り図柄の変動表示が行われる際におけるリーチ予告演出の選択比率は、擬似連Ｋ回のもののＬ回目の変動表示におけるＫとＬの違いに応じて異なるだけでなく、飾り図柄が最終停止するまでにリーチ表示態様が出現するか否かに応じて異なっている。このため、遊技者は、先擬似予告が行われている間においてリーチ予告演出として実行される演出の種類に応じてリーチ表示態様が出現するかどうかを期待できるようになり、さらに遊技の興趣を向上させることができる。また、リーチ予告演出として実行される演出の種類に応じて、確率変動大当たり、確変昇格大当たりまたは時短大当たりとなるか、或いは再変動表示が行われるかも遊技者が期待できるようになる。
【０２４６】
さらに、リーチ予告演出に含まれているステップアップ予告演出は、実行される段階が大きくなるほどリーチ表示態様が出現する期待度（確率変動大当たり、確変昇格大当たりまたは時短大当たりとなる期待度）が高くなる演出であるが、擬似連において飾り図柄が最後の仮停止から最終停止されるまでの変動表示では、ここでリーチ表示態様が出現するか否かに関わらず、第１段階の実行だけで終了してしまうステップアップ演出１が実行されることはない。
【０２４７】
逆から言えば、ステップアップ演出が第１段階だけ実行されて終了してしまったという場合には、リーチ表示態様が出現する期待度は小さいものの、擬似連における再変動表示が実行されることが確定するということである。これにより、リーチ表示態様が出現する期待度が小さな第１段階までのステップアップ演出でも、再変動表示が実行されることに対する期待感を遊技者に与えることができ、遊技の興趣のいっそうの向上を図ることができるものとなる。
【０２４８】
また、擬似連なし、擬似連１回、擬似連２回、擬似連３回、擬似連４回の何れの種別でも最終の変動表示においてリーチ表示態様が出現することがあるが、擬似連についての種別毎にリーチ表示態様が異なる変動パターンの振り分け比率が異なっている。全回転のように特定回数の擬似連でしか振り分けられない変動パターンもある。このように擬似連の回数の振り分けとリーチ表示態様を出現させる変動パターンの振り分けによって、飾り図柄の変動表示による演出が多様なものとなり、遊技の興趣を向上させることができる。さらに、リーチ表示態様が出現するまでに実行された再変動表示の回数と出現したリーチ表示態様の種類に応じて遊技者に期待感を与えることができるようになり、遊技の興趣を向上させることができる。
【０２４９】
本発明は、上記の実施の形態に限られず、種々の変形、応用が可能である。以下、本発明に適用可能な上記の実施の形態の変形態様について説明する。
【０２５０】
上記の実施の形態では、チャンスボタン１６などの操作手段に対する遊技者の操作と擬似連予告とは無関係であったが、操作手段に対する遊技者の操作に応じて擬似連予告が実行されるようにしてもよい。
【０２５１】
図１４は、擬似連予告の演出例を示す説明図である。図１４（Ａ）は、飾り図柄の変動表示が開始された可変表示装置９に、遊技者にチャンスボタン１６の操作を促す画像が表示されていることを示している。図１４（Ｂ）は、その後、遊技者がチャンスボタン１６を押下すると、飾り図柄が変動中の可変表示装置９に「連続？」の文字が表示されて擬似連予告（先擬似予告）が実行されていることを示している。なお、チャンスボタン１６が押下された後に可変表示装置９に表示される文字などは、１回の始動入賞における擬似連の回数や、確率変動大当たり、確変昇格大当たりまたは時短大当たりの何れかが決定されているか否かに応じて選択表示されるように構成されていてもよい。また、チャンスボタン１６の押下を促す画像を可変表示装置９に表示してから所定時間が経過してもチャンスボタン１６が押下されないときは、前述の「連続？」の文字を表示することなく飾り図柄を仮停止させた上で、再変動させるように構成してもよい。なお、遊技枠に設けられた操作手段の例としては、チャンスボタン１６のほかに、スティック手段（図示しない）などでもよい。このスティック手段とは、例えば、パチンコ遊技機１に対して前後方向あるいは左右方向に傾倒可能となるように打球供給皿３の底面から垂下支持されている操作桿と、この操作桿の傾倒方向を検知して方向信号を生成して演出制御基板８０に送信するセンサなどから構成される。スティック手段が操作されたときに生成される方向信号に基づいた演出内容を演出制御基板８０が実行可能に構成することで、操作桿の傾倒方向に応じた演出内容を実行することができる。
【０２５２】
このように、遊技枠に設けられた操作手段に対する遊技者の操作に応じて擬似連予告を実行することで、遊技者自身の操作で擬似連が発生したかのような印象を遊技者に与えることができる。そのため、遊技者の遊技への参加意欲を高めることができ、遊技の興趣を向上させることができる。
【０２５３】
なお、仮停止より前に実行される先擬似予告の演出内容である操作手段に対する操作態様を、仮停止したときにチャンス目が出現する再変動態様（例えば、後擬似予告と先擬似予告の両方を実行）のときと、出現しない再変動態様（例えば、先擬似予告のみを実行）のときとで、異なるように構成してもよい。すなわち、例えば、仮停止したときにチャンス目が出現する再変動態様のときには、チャンスボタン１６の連打を促す画像を可変表示装置９に表示させるなどして先擬似予告を実行し、仮停止したときにチャンス目が出現しない再変動態様のときには、チャンスボタン１６の１回の押下を促す画像を可変表示装置９に表示させるなどして先擬似予告を実行する。
【０２５４】
このように、再変動態様に応じて先擬似予告の演出内容を異ならせることで、先擬似予告が実行された場合に、仮停止より前の操作手段に対する操作態様に遊技者を注目させて、一連の変動表示の過程全体での遊技者の注目度を高めることができ、遊技の興趣を向上させることができる。また、操作手段に対する操作態様の違いに応じて、再変動表示が実行されることへの期待感を遊技者に与えることができる。これにより、リーチ表示態様が出現することへの期待感や、確率変動大当り、確変昇格大当りまたは時短大当りとなることへの期待感を遊技者に与えることができる。
【０２５５】
上記の実施の形態では、実行すべき擬似連予告として、擬似連予告なし、先擬似予告を実行、後擬似予告を実行、または先擬似予告と後擬似予告の両方の選択確率を、確率変動大当たり、確変昇格大当たりまたは時短大当たりの何れかが決定されているか否かに応じて異なるものとしていた。もっとも、これらの選択確率を、リーチ表示態様が出現するか否かに応じて異なるものとしてもよい。また、擬似連の回数に応じて異なるものとしてもよい（例えば、擬似連の回数が少ないほど擬似連予告なしの選択確率を高くし、擬似連の回数が多いほど先擬似予告と後擬似予告の両方の選択確率を高くする）。
【０２５６】
上記したように、リーチ表示態様が出現しない場合には確率変動大当たり、確変昇格大当たりまたは時短大当たりとなる可能性がないが、リーチ表示態様が出現する場合には確率変動大当たり、確変昇格大当たりまたは時短大当たりとなる可能性がある。従って、リーチ表示態様が出現するか否かに応じて擬似連予告なし、先擬似予告を実行、後擬似予告を実行、または先擬似予告と後擬似予告の両方の選択確率を異なるものとすると、結果として、確変昇格大当たりまたは時短大当たりの何れかが決定されているか否かに応じて先擬似予告を実行、後擬似予告を実行、または先擬似予告と後擬似予告の両方の選択確率が異なるものとなる。
【０２５７】
また、擬似連の回数が多くなるほど、リーチ表示態様が出現する確率も、確率変動大当たり、確変昇格大当たりまたは時短大当たりとなる可能性が高くなる。従って、擬似連の回数に応じて擬似連予告なし、先擬似予告を実行、後擬似予告を実行、または先擬似予告と後擬似予告の両方の選択確率を異なるものとすると、結果として、確変昇格大当たりまたは時短大当たりの何れかが決定されているか否かに応じて先擬似予告を実行、後擬似予告を実行、または先擬似予告と後擬似予告の両方の選択確率が異なるものとなり、リーチ表示態様が出現するか否かに応じて先擬似予告を実行、後擬似予告を実行、または先擬似予告と後擬似予告の両方の選択確率が異なるものとなる。
【０２５８】
このため、リーチ表示態様が出現するか否かに応じて、或いは擬似連の回数に応じて擬似連予告なし、先擬似予告を実行、後擬似予告を実行、または先擬似予告と後擬似予告の両方の選択確率を異ならせた場合も、上記の実施の形態と同様の効果を得ることができるものとなる。
【０２５９】
上記の実施の形態では、先擬似予告には実行タイミングの早いものと遅いものとがあったが、早いタイミングを選択する比率の方が高かった。これに対して、早いタイミングよりも遅いタイミングを選択する比率の方を高くしてもよい。その後に再変動表示が実行されるときの方が再度変動表示が実行されない場合に比べて、早いタイミングを選択する比率を高くすることもできる。この場合は、未だ先擬似予告がされないと遊技者が思っているうちに先走りで先擬似予告が実行されることとなるので、遊技者に意外性を与えることができる。
【０２６０】
上記の実施の形態では、先擬似予告を実行することを決定した場合に、擬似連の変動パターンに含まれる変動表示毎に先擬似予告の態様を決定するものとしていたが、各態様の選択確率は、何回目の再変動表示を予告するかで異なるだけではなく、その後に再変動表示が実行されるか否かによって異なるものとしていた。もっとも、その後に再変動表示が実行されるか否かによって先擬似予告の態様の選択確率を異なるものとするのではなく、確率変動大当たり、確変昇格大当たりまたは時短大当たりの何れかが決定されているか否かに応じて先擬似予告の態様の選択確率を異なるものとしてもよい。また、飾り図柄の変動表示が最終的に停止されるまでにリーチ表示態様が出現するか否かに応じて先擬似予告の態様の選択確率を異なるものとしてもよい。
【０２６１】
上記したように、確率変動大当たり、確変昇格大当たりまたは時短大当たりの何れかが決定されているときの方が、擬似連の回数が多い種別が選択されやすくなるので、先擬似予告がされた後に再変動表示が実行される可能性が高くなる。従って、確率変動大当たり、確変昇格大当たりまたは時短大当たりの何れかが決定されているか否かに応じて先擬似予告の態様の選択確率を異なるものとすると、結果として、先擬似予告の後に再変動表示が行われた後に再変動表示が否かに応じて先擬似予告の態様の選択確率を異なるものなる。
【０２６２】
また、リーチ表示態様が出現するときの方が、擬似連の回数が多い種別が選択されやすくなるので、先擬似予告がされた後に再変動表示が実行される可能性が高くなり、リーチ表示態様が出現するときにしか確率変動大当たり、確変昇格大当たりまたは時短大当たりにならない。従って、リーチ表示態様が出現するか否かに応じて先擬似予告の態様の選択確率を異なるものとすると、結果として、先擬似予告の後に再変動表示が行われた後に再変動表示が否かに応じて先擬似予告の態様の選択確率が異なるものとなり、確率変動大当たり、確変昇格大当たりまたは時短大当たりの何れかが決定されているか否かに応じて先擬似予告の選択確率が異なるものとなる。
【０２６３】
このため、確率変動大当たり、確変昇格大当たりまたは時短大当たりの何れかが決定されているか否かに応じて、或いはリーチ表示態様が出現するか否かに応じて先擬似予告の態様の選択確率を異ならせた場合も、上記の実施の形態と同様の効果を得ることができるものとなる。
【０２６４】
また、先擬似予告の実行タイミングの選択確率についても、同様に、確率変動大当たり、確変昇格大当たりまたは時短大当たりの何れかが決定されているか否かに応じて異なるものとしたり、飾り図柄の変動表示が最終的に停止されるまでにリーチ表示態様が出現するか否かに応じて異なるものとすることができる。ここでも、上記の実施の形態と同様の効果を得ることができるものとなる。
【０２６５】
さらに、後擬似予告を実行することを決定した場合に、擬似連の変動パターンに含まれる変動表示毎に表示するチャンス目の種類を決定するものとしていたが、チャンス目Ａとチャンス目Ｂの選択確率は、飾り図柄が再度変動表示された後に、さらに再変動表示が実行されるか否かによって異なるものとしていた。もっとも、その後に再変動表示が実行されるか否かによってチャンス目の選択確率を異なるものとするのではなく、確率変動大当たり、確変昇格大当たりまたは時短大当たりの何れかが決定されているか否かに応じてチャンス目の選択確率を異なるものとしてもよい。また、飾り図柄の変動表示が最終的に停止されるまでにリーチ表示態様が出現するか否かに応じてチャンス目の選択確率を異なるものとしてもよい。ここでも、上記の実施の形態と同様の効果を得ることができるものとなる。
【０２６６】
上記の実施の形態では、後擬似予告は、全ての飾り図柄が仮停止したときの表示態様をチャンス目とすることで実行するものとしていた。もっとも、後擬似予告は、擬似連において飾り図柄が仮停止している期間において実行されるものであればよく、必ずしも飾り図柄の出目をチャンス目とすることによって実行するものでなくてもよい。例えば、飾り図柄が仮停止しているときにおいて、可変表示装置９に飾り図柄の画像よりも前面側に所定のキャラクタの画像を重ねて表示させることによって後擬似予告を実行するものとすることもできる。
【０２６７】
チャンス目の種類が複数種類あったように、このキャラクタの画像にも複数種類あってよく、再変動表示が実行されるか、リーチ表示態様が出現するか、或いは確率変動大当たり、確変昇格大当たり、または時短大当たりとすることが決定されているかに応じて異なる選択比率で、後擬似予告として表示すべきキャラクタの画像の種類を選択することもできる。これにより、後擬似予告において表示されたキャラクタの画像の種類に応じた期待感を遊技者に与えることができるものとなる。
【０２６８】
また、このように飾り図柄の出目とは異なる態様によって実行する後擬似予告については、少なくとも実行期間の一部が飾り図柄が仮停止されている期間に含まれるものとして、実行タイミングの早いもの（例えば、飾り図柄が仮停止するのと同時または直前にキャラクタの画像を表示開始する）と遅いもの（例えば、飾り図柄が仮停止してから再変動表示されるまでの間にキャラクタの画像を表示開始する）とを用意することができる。
【０２６９】
このように早いタイミングと遅いタイミングがある後擬似予告の実行タイミングの選択確率についても、先擬似予告の場合と同様に、確率変動大当たり、確変昇格大当たりまたは時短大当たりの何れかが決定されているか否かに応じて異なるものとしたり、飾り図柄の変動表示が最終的に停止されるまでにリーチ表示態様が出現するか否かに応じて異なるものとしたり、再変動表示の実行の有無に応じて異なるものとすることができる。ここでも、先擬似予告の実行タイミングの違いによって生じさせるのと同様の効果を生じさせることができるものとなる。
【０２７０】
上記の実施の形態では、突確大当たりの場合に先擬似予告と同じ態様の予告演出が実行されるものとしていた。これに対して、突確大当たりの場合の飾り図柄の停止態様として、後擬似予告で飾り図柄の仮停止時に導出されるチャンス目Ａまたはチャンス目Ｂを導出してもよい。突確大当たりの場合におけるチャンス目Ａとチャンス目Ｂの選択比率は、後擬似予告でチャンス目Ａとチャンス目Ｂを選択する場合の選択比率と異なるものとしてもよい。先擬似予告と同じ態様の予告演出と、チャンス目の導出を併用してもよい。このように突確大当たりの場合の停止態様としてチャンス目を導出することによっても、突確大当たりの場合に先擬似予告と同じ態様の予告演出を実行する場合と同様の効果が得られる。
【０２７１】
上記の実施の形態では、チャンス目Ａ及びチャンス目Ｂは、擬似連１回〜４回の変動パターンが選択されたときにおいて飾り図柄が仮停止されるときにおいてのみ出現する出目となっていた。もっとも、擬似連なしの変動パターンで飾り図柄が停止されるときにも、極稀にチャンス目Ａやチャンス目Ｂが出現し得るものとしてもよい。擬似連１回〜３回の変動パターンで飾り図柄が最終停止されるときにも、極稀にチャンス目Ａやチャンス目Ｂが出現し得るものとしてもよい。最終停止でも出現し得るチャンス目は、チャンス目Ａまたはチャンス目Ｂの何れか一方のみとしてもよい。
【０２７２】
なお、例えば、チャンス目Ａまたはチャンス目Ｂが擬似連なしの変動パターンで飾り図柄が停止されるときにも出現し得るものと仮定する（擬似連１回〜３回の変動パターンで飾り図柄が最終停止されるときのチャンス目Ａまたはチャンス目Ｂの出現は考えないものとする）。この場合、擬似連なしの変動パターンの選択確率とそのうちでチャンス目Ａまたはチャンス目Ｂの選択確率との積は、擬似連１回〜４回の選択確率と後擬似予告（先擬似予告と併用される場合を含む）の実行確率との積の１０分の１程度以下に小さいものとすることが好ましい。
【０２７３】
このように擬似連１回〜４回の変動パターンで飾り図柄が仮停止するとき以外でも、極稀にチャンス目が出現することによって、遊技者に意外性を感じさせることができる。また、これによって、擬似連１回〜４回の変動パターンでチャンス目が出現したときにも、それが絶対的な再変動表示の実行を意味するものとならないので、再変動表示が実行されるかどうかについての遊技者の興味を失わせることがない。
【０２７４】
上記の実施の形態では、擬似連予告は、装飾ランプ２５ａ〜２５ｃや枠ランプ４０〜４２や役物２６という可変表示装置９とは異なる演出手段で実行される先擬似予告も、主基板３１の側で変動パターンが決められる飾り図柄の変動表示の中で飾り図柄が仮停止したときにチャンス目を導出させることで実行される後擬似予告も、その実行の有無を演出制御基板８０の側において決定するものとしていた。
【０２７５】
これに対して、飾り図柄の仮停止時の表示態様としてチャンス目を表示させる後擬似予告については、主基板３１の側で決定するものとしてもよい。ここで、擬似連１回、擬似連２回、擬似連３回或いは擬似連４回の種別に含まれる変動パターンで、飾り図柄の仮停止時においてチャンス目が表示されるパターンとチャンス目が表示されない変動パターンを設けるものとし（例えば、確率変動大当たりの擬似連１回の種別に含まれる変動パターンを、ノーマル当たり（チャンス目なし）、ノーマル当たり（チャンス目）、スーパーＡ当たり（チャンス目なし）、スーパーＡ当たり（チャンス目）、スーパーＢ当たり（チャンス目なし）、スーパーＢ当たり（チャンス目）とする）、変動パターンの選択によって後擬似予告を行うかどうかを決定するものとしてもよい。
【０２７６】
ここで、チャンス目が表示されずに飾り図柄の表示結果がハズレ（ハズレまたは突確大当たり）となる変動パターンの選択確率に対するチャンス目が表示されずに大当たり（確率変動大当たり、確変昇格大当たりまたは時短大当たり）となる変動パターンの選択確率の比は、チャンス目が表示されてハズレとなる変動パターンの選択確率に対するチャンス目が表示されて大当たりとなる変動パターンの選択確率の比とは異なるものとすることができる。
【０２７７】
或いは、チャンス目が表示されずリーチ表示態様も出現しない変動パターンの選択確率に対するチャンス目が表示されないがリーチ表示態様が出現する変動パターンの選択確率の比は、チャンス目が表示されるがリーチ表示態様が出現しない変動パターンの選択確率に対するチャンス目が表示されてリーチ表示態様が出現する変動パターンの選択確率の比とは異なるものとすることもできる。
【０２７８】
さらには、Ｍ回だけ再変動表示が実行されてチャンス目が表示されない変動パターンの選択確率に対するＭ回だけ再変動表示が実行されてチャンス目が表示される変動パターンの選択確率の比は、Ｎ回（Ｎ＞Ｍ）だけ再変動表示が実行されてチャンス目が表示されない変動パターンの選択確率に対するＮ回だけ再変動表示が実行されてチャンス目が表示される変動パターンの選択確率の比とは異なるものとすることができる。
【０２７９】
このように後擬似予告としてチャンス目を表示するか否かを変動パターンの選択によって決定するものであっても、変動パターンの種別として擬似連１回、擬似連２回、擬似連３回或いは擬似連４回の種別が選択されたときにおける各変動パターンの選択確率を上記のようなものとすることによって、上記の実施の形態の場合と同様の効果を得ることができるものとなる。
【０２８０】
上記の実施の形態では、擬似連におけるリーチ予告演出は、各回の変動表示（最初の変動開始から最初の仮停止まで、仮停止から次の仮停止まで、最後の仮停止から最終停止まで）に対して実行されるが、何れのリーチ予告演出を実行するかは、変動表示の回毎に別々に決めていた。これに対して、変動表示の各々の回におけるリーチ予告演出の組み合わせを定めるパターンを、飾り図柄の変動表示が開始される際に１回で選択するものとしてもよい。
【０２８１】
例えば、擬似連２回の変動表示が開始される際に「演出Ｂ−演出Ａ−ステップアップ演出２」のパターンが選択されれば、変動開始から最初の仮停止までの期間で演出Ｂが、最初の仮停止から２回目の仮停止までの期間で演出Ａが、２回目の仮停止から最終停止までの期間でステップアップ演出２が実行されるものとなる。遊技者の見た目上は、変動開始から最初の仮停止までの期間に対して演出Ｂを個別に決定し、最初の仮停止から２回目の仮停止までの期間に対して演出Ａを個別に決定し、２回目の仮停止から最終停止までの期間に対してステップアップ演出２を個別に決定したのと変わらないこととなる。
【産業上の利用可能性】
【０２８２】
本発明は、パチンコ遊技機などの遊技機に適用可能であり、特に、可変表示装置における識別情報の表示結果があらかじめ定められた特定表示結果となったときに、遊技者にとって有利な有利状態に制御する遊技機に好適に適用される。
【符号の説明】
【０２８３】
１  パチンコ遊技機
９  可変表示装置
１０ａ、１０ｂ  特別図柄表示部
２５ａ〜２５ｃ  装飾ランプ
２６  役物
３１  主基板
５４  ＲＯＭ
５５  ＲＡＭ
５６  ＣＰＵ
８０  表示制御基板
【図１】
2010259657.tif 000003
【図２】
2010259657.tif 000004
【図３】
2010259657.tif 000005
【図４】
2010259657.tif 000006
【図５】
2010259657.tif 000007
【図６】
2010259657.tif 000008
【図７】
2010259657.tif 000009
【図８】
2010259657.tif 000010
【図９】
2010259657.tif 000011
【図１０】
2010259657.tif 000012
【図１１】
2010259657.tif 000013
【図１２】
2010259657.tif 000014
【図１３】
2010259657.tif 000015
【図１４】
2010259657.tif 000016